【事件の表示】
　特許第５８５７２３７号発明「太陽電池セル及び太陽電池モジュール」の特許異議申立事件について、次のとおり決定する。
【結　論】
　特許第５８５７２３７号の請求項１〜５、８、９に係る特許を取り消す。
【理　由】
第１　手続の経緯
　特許第５８５７２３７号の請求項１ないし９に係る特許についての出願は、平成２７年１２月２５日付けでその特許権の設定登録がされ、その後、特許異議申立人　柴田　基（以下「申立人１」という。）及び特許異議申立人　木暮　隆一郎（以下「申立人２」という。）より請求項１、２、３、４、５、８及び９に対して特許異議の申立てがされ、平成２８年１０月１７日付けで取消理由が通知され、同年１２月２６日に意見書の提出及び訂正請求がされ、平成２９年１月２７日付けで取消理由（決定の予告）が通知され、同年４月３日に意見書の提出及び訂正請求（以下「本件訂正」と呼ぶ。）がされ、同年４月２８日付けで訂正拒絶理由が通知され、同年６月２日付けで意見書が提出されたものである。
　
第２　訂正の適否
１　訂正の内容
　本件訂正は、特許第５８５７２３７号の願書に添付した特許請求の範囲の請求項１ないし９からなる一群の請求項に係り平成２９年４月３日付け訂正請求書に添付した特許請求の範囲のとおり訂正することを求めるものであって、その訂正の内容のうち、「訂正事項２」は以下のとおりである。
　
・「訂正事項２」
　特許請求の範囲の請求項１において、特許請求の範囲の減縮を目的として、「前記斜辺部は前記バスバー部と直接接続されていない、」と記載されているのを、「前記斜辺部は前記バスバー部と直接接続されておらず、前記端部において、前記透明導電膜は、前記面取り状角部の端辺に沿って形成されており、かつ、前記一対の斜辺部よりも外側に至る様に設けられており、さらに、前記一対の斜辺部に沿う前記透明導電膜の端面と前記一対の斜辺部との距離は、前記上底部および前記下底部を含み前記第２の方向に沿って延びる前記台形状電極部の複数の電極部のうち前記第１の方向に隣り合う電極部の距離の半分以下である、」と訂正する（請求項１の記載を引用する請求項２〜４、８、９も同様に訂正する）。
　
２　訂正の適否の検討
（１）訂正請求書において、特許権者は、訂正事項２について下記のとおり説明する（平成２９年４月３日付け訂正請求書８頁１５行〜１０頁１８行）。また、あわせて、図４及び５について下記のもの（同訂正請求書１１頁〜１２頁）を示している（以下それぞれを「訂正請求書の図４」ないし「訂正請求書の図５」という。）。
ア　「訂正事項２は、願書に添付した明細書中の発明の詳細な説明に基づいて導き出される構成である。
　この透明導電膜に係る説明として、図１、図２、図５、および段落【００１６】には、『前記端部において、前記透明導電膜は、前記面取り状角部の端辺に沿って形成されており、かつ、前記一対の斜辺部よりも外側に至る様に設けられている（例えば、図１において、第１の端部２０ａ２において、透明導電膜２５ａは、面取り状角部２０Ａ及び２０Ｂの端辺に沿って形成されており、かつ、一対の斜辺部３２ａ３および３２ａ４よりも外側に至る様に設けられている）』ことが明示されており、当該透明導電膜を用いる作用効果も、上記段落に記載されたとおりのものである。
　また、この透明導電膜の端面と一対の斜辺部との配置関係については、願書に添付した、図４、図５、および明細書段落【００３２】〜【００３４】に説明されている。
　まず、明細書段落【００３３】には、『例えば、端部においても、台形状電極部が設けられておらず、複数の線状電極部１３１が設けられている場合は、受光面１２０ａのうち、ｙ方向において線状電極部１３１と近接していない非近接領域１２０ａ２１において生じたキャリア１００が線状電極部１３１により収集されるまでに移動しなければならない距離が長い。このため、非近接領域１２０ａ２１における集電抵抗が大きくなる。その結果、光電変換効率が低くなる。』と記載されている。これを、下記に示す図４および図４の拡大図を用いて説明すると、隣り合う線状電極部１３１に挟まれた領域Ｃでは、キャリアは移動距離Ｌ１（図４ご参照）またはＬ２（図４ご参照）で線状電極部１３１に到達する。また、領域Ａ（図４拡大図）では、キャリアは移動距離Ｌ３（図４ご参照）で線状電極部１３１に到達する。つまり、当該キャリアの最大移動距離は、図４に示された領域ＡおよびＣにおけるキャリアの最大移動経路（図４の矢印）から、隣り合う線状電極部１３１の間隔の１／２（Ｌ）であることが理解される。
　一方、ｙ方向において線状電極部１３１と近接していない非近接領域１２０ａ２１、つまり、透明導電膜の端面と線状電極部１３１の一端との間の領域Ｂ（図４拡大図ご参照）において生じたキャリアは、線状電極部１３１により収集されるまでに移動しなければならない距離はＬ４となり、図４に記載された非近接領域１２０ａ２１におけるキャリアの最大移動経路（図４の矢印）から、Ｌ１、Ｌ２およびＬ３と比べて長くなる。このため、領域Ｂにおける集電抵抗が大きくなり、光電変換効率が低くなる。一方、段落【００３４】には、『領域２０ａ２１において生じたキャリア３５は、斜辺部３２ａ３、３２ａ４、３２ｂ３、３２ｂ４により収集される。このため、キャリア３５が電極２１ａにより収集されるまでに移動しなければならない距離が短い。よって、領域２０ａ２１における集電抵抗を低減することができる。従って、光電変換効率を改善することができる。』と記載されている。これを、下記に示す図５および図５拡大図を用いて説明すると、領域２０ａ２１、つまり、上底部３２ａ１の右端および線状電極部３２ａ５の右端と透明電極膜の端面との間の領域ＢおよびＡ（図５拡大図）において生じたキャリアは、斜辺部３２ａ４により収集される。このため、当該キャリアの移動距離Ｌ５（図５の矢印）は、斜辺部３２ａ４がない場合と比較して短くなり、上底部３２ａ１と線状電極部３２ａ５との間隔の１／２（図５拡大図のＬに相当）以下とできることが理解される。つまり、図５および段落【００３４】から、斜辺部３２ａ４がある場合には、領域Ｂにおけるキャリアの移動距離は、ｙ軸方向に隣り合う電極部の間隔の１／２（＝Ｌ）以下とできることが理解される。この関係は、斜辺部３２ａ４と透明導電膜の端面との間に発生したキャリアについて成立するものである。
　なお、透明電極膜の外側領域における移動距離による集電抵抗の影響は、透明電極膜の内側領域と比べるとほとんど問題とならない。これは、明細書段落【００１６】の『透明導電膜２５ａ、２５ｂを設けることにより、生成したキャリアが再結合する前に効率的に電極２１ａ、２１ｂに収集される。従って、より改善された光電変換効率を実現することができる。』との記載から自明である。
　以上より、『さらに、前記一対の斜辺部に沿う前記透明導電膜の端面と前記一対の斜辺部との距離は、前記上底部および前記下底部を含み前記第２の方向に沿って延びる｀前記台形状電極部の複数の電極部のうち前記第１の方向に隣り合う電極部の距離の半分以下である』ことが導き出される。
　よって、当該訂正事項２は、願書に添付した明細書、特許請求の範囲又は図面に記載した事項の範囲内の訂正であり、特許法第１２０条の５第９項で準用する特許法第１２６条第５項に適合するものである。」
　
イ　訂正請求書の図４及び訂正請求書の図５は次のものである。
「
　　　　　　　　　　　　　　　　　　　　　　　　　　　　　　　　　」
　
（２）本件明細書及び図面の記載
ア　本件の願書に添付した明細書及び図面（以下、あわせて「本件明細書等」という。）には、図４及び５に関して次の記載がある（下線は当審が付した。以下同じ。）。
（ア）「【図面の簡単な説明】
【０００９】
【図１】第１の実施形態に係る太陽電池セルの受光面の略図的平面図である。
【図２】第１の実施形態における太陽電池セルの裏面の略図的平面図である。
【図３】図１の線ＩＩＩ−ＩＩＩに示す部分の略図的断面図である。
【図４】
模式的拡大平面図
【図５】
模式的拡大平面図
【図６】第１の変形例に係る太陽電池セルの受光面の略図的平面図である。
【図７】第２の変形例に係る太陽電池セルの受光面の略図的平面図である。
【図８】第２の実施形態に係る太陽電池セルの受光面の略図的平面図である。
【図９】第２の比較例における太陽電池セルの受光面の一部分を拡大した模式的拡大平面図である。
【図１０】第２の実施形態における太陽電池セルの受光面の一部分を拡大した模式的拡大平面図である。
【図１１】第３の変形例に係る太陽電池セルの受光面の略図的平面図である。
【図１２】第３の実施形態に係る太陽電池モジュールの略図的断面図である。」
　
（イ）「【００１２】
　（第１の実施形態）
　図１は、第１の実施形態に係る太陽電池セルの受光面の略図的平面図である。・・・
【００１６】
　受光面２０ａの上には、面状の透明導電膜（ＴＣＯ：Ｔｒａｎｓｐａｒｅｎｔ　Ｃｏｎｄｕｃｔｉｖｅ　Ｏｘｉｄｅ）２５ａが設けられている。受光面２０ａの端縁部を除いた部分は、この透明導電膜２５ａにより覆われている。同様に、裏面２０ｂの上には、面状の透明導電膜２５ｂが設けられている。裏面２０ｂの端縁部を除いた部分は、この透明導電膜２５ｂにより覆われている。これら透明導電膜２５ａ、２５ｂは、下記の電極２１ａ、２１ｂによる集電を補助する機能を有している。透明導電膜２５ａ、２５ｂを設けることにより、生成したキャリアが再結合する前に効率的に電極２１ａ、２１ｂに収集される。従って、より改善された光電変換効率を実現することができる。
【００１７】
　なお、透明導電膜２５ａ、２５ｂは、例えば、ＩＴＯ（Ｉｎｄｉｕｍ　Ｔｉｎ　Ｏｘｉｄｅ）などにより形成することができる。透明導電膜２５ａ、２５ｂの厚みは、例えば、５０ｎｍ〜１５０ｎｍ度とすることができる。
【００１８】
　受光面２０ａの上には、電極２１ａが配されている。詳細には、この電極２１ａは、受光面２０ａの上に設けられた透明導電膜２５ａの上に配されている。一方、裏面２０ｂの上には、電極２１ｂが配されている。詳細には、この電極２１ｂは、裏面２０ｂの上に設けられた透明導電膜２５ｂの上に配されている。・・・
【００３２】
　ところで、例えば、台形状電極部を設けずに、第１及び第２の端部の上にも複数の線状電極部を形成することも考えられる。すなわち、電極を複数の線状電極部のみ、または複数の線状電極部及びバスバー部により構成することも考えられる。しかしながら、その場合は、光電変換効率の面取り状角部における集電抵抗が高くなる。従って、光電変換効率が低くなる。以下、この理由について、
図４を参照しながら説明する
【００３３】
　例えば、端部においても、
台形状電極部が設けられておらず、複数の線状電極部１３１が設けられている場合は、受光面１２０ａのうち、ｙ方向において線状電極部１３１と近接していない非近接領域１２０ａ２１において生じたキャリア１００が線状電極部１３１により収集されるまでに移動しなければならない距離が長い。
【００３４】
　それに対して、本実施形態では、端部２０ａ２，２０ａ３に、台形状電極部３２ａ、３２ｂが設けられている。台形状電極部３２ａ、３２ｂは、斜辺部３２ａ３，３２ａ４，３２ｂ３，３２ｂ４を含む。そして、斜辺部３２ａ３，３２ａ４，３２ｂ３，３２ｂ４は、面取り状角部２０Ａ〜２０Ｄの端辺に沿って延びている。従って、
図５に示すように、領域２０ａ２１において生じたキャリア３５は、斜辺部３２ａ３，３２ａ４，３２ｂ３，３２ｂ４により収集される。このため、キャリア３５が電極２１ａにより収集されるまでに移動しなければならない距離が短い。
　
（ウ）図１、４及び５は次のものである（以下それぞれを「本件特許の図１」、「本件特許の図４」ないし「本件特許の図５」という。）。
「
　　　　　　　　　　　　　　　　　　　　　　　　　　　　　　　　　」
　
イ　本件明細書等には、「透明導電膜」と「線状電極部」に関して次の記載がある。
「【００４３】
　（第２の実施形態）
　図８は、第２の実施形態に係る太陽電池セルの受光面の略図的平面図である。
【００４４】
　上記第１の実施形態では、複数の線状電極部３１の全体が透明導電膜２５ａの上に位置しており、線状電極部３１の端部が、透明導電膜２５ａの端辺に至っていない例について説明した。
【００４５】
　それに対して、本実施形態では、線状電極部３１の端部は、透明導電膜２５ａの端辺に至っている。具体的には、線状電極部３１の端部は、光電変換部２０の端辺にまで至っている。このため、より改善された光電変換効率を得ることができる。以下、この理由について、図９及び図１０を参照して説明する。
【００４６】
　図９に示すように、線状電極部３１の端部が透明導電膜２５ａの端辺に至っていない場合は、透明導電膜２５ａの端縁部２５ａ１で生成したキャリアが線状電極部３１により収集されるまでに移動しなければならない距離が長くなる。このため、端縁部２５ａ１における集電抵抗が高くなる。その結果、光電変換効率が低くなる傾向にある。
【００４７】
　それに対して、図１０にも示すように、線状電極部３１の端部が透明導電膜２５ａの端辺に至っている場合は、端縁部２５ａ１で生成したキャリアが線状電極部３１により収集されるまでに移動しなければならない距離が短くなる。このため、端縁部２５ａ１における集電抵抗を低くすることができる。その結果、光電変換効率をさらに改善することができる。
【００４８】
　具体的に、本実施形態の太陽電池セルを作製し、光電変換効率を測定した結果、線状電極部３１の端部が透明導電膜２５ａの端辺に至っている第２の実施形態の太陽電池セルの方が、線状電極部３１の端部が透明導電膜２５ａの端辺に至っていない第１の実施形態の太陽電池セル１０よりも光電変換効率が約１％高くなることが確認された。
【００４９】
　（第３の変形例）
　図１１は、第３の変形例に係る太陽電池セルの受光面の略図的平面図である。図１１に示すように、電極２１ａは、上底部３２ａ１、３２ｂ１、下底部３２ａ２，３２ｂ２及び線状電極部３２ａ５，３２ｂ５のそれぞれの端部から、ｘ方向に沿って延び、透明導電膜２５ａの端部にまで至る線状の電極部３２ａ６〜３２ａ１１、３２ｂ６〜３２ｂ１１をさらに備えていてもよい。この構成によれば、面取り状角部２０Ａ〜２０Ｄにおける集電抵抗をより低減できる。その結果、より改善された光電変換効率を得ることができる。」
　
（３）判断
ア　上記「（２）」「ア」「（ア）」によれば、本件明細書等の図４及び５は、第１の比較例ないし第１の実施形態における太陽電池セルの受光面の一部分を拡大した模式的拡大平面図とされるものであって、「模式的な」図面である。
　
イ　そして、上記「（２）」「ア」「（イ）」（第１の実施形態）によれば、当該模式的な図面とされる本件明細書等の図４及び５を用いて、「台形状電極部が設けられておらず、複数の線状電極部１３１が設けられている場合」（本件特許の図４）は、「受光面１２０ａのうち、ｙ方向において線状電極部１３１と近接していない非近接領域１２０ａ２１において生じたキャリア１００が線状電極部１３１により収集されるまでに移動しなければならない距離が長い」こと、及び、「斜辺部３２ａ３，３２ａ４，３２ｂ３，３２ｂ４は、面取り状角部２０Ａ〜２０Ｄの端辺に沿って延びている」（本件特許の図５）場合は、「領域２０ａ２１において生じたキャリア３５は、斜辺部３２ａ３，３２ａ４，３２ｂ３，３２ｂ４により収集される。このため、キャリア３５が電極２１ａにより収集されるまでに移動しなければならない距離が短い」こと、つまり、キャリアが電極により収集されるまでに移動しなければならない距離の長短を説明するにとどまる。
　よって、図４及び５は、具体的な距離の大きさまでも示すものとして記載されたものとはいえないから、図４及び５には、「訂正事項２」における「一対の斜辺部に沿う透明導電膜の端面と一対の斜辺部との距離」と「上底部および下底部を含み第２の方向に沿って延びる台形状電極部の複数の電極部のうち第１の方向に隣り合う電極部の距離」の半分のどちらが大きいかについてまで記載されているということはできない。
　
ウ　また、当該第１の実施形態（上記「（２）」「ア」「（イ）」）には、「透明導電膜」と「電極」に関して、「これら透明導電膜２５ａ、２５ｂは、下記の電極２１ａ、２１ｂによる集電を補助する機能を有している。透明導電膜２５ａ、２５ｂを設けることにより、生成したキャリアが再結合する前に効率的に電極２１ａ、２１ｂに収集される。」（段落【００１６】）及び「詳細には、この電極２１ａは、受光面２０ａの上に設けられた透明導電膜２５ａの上に配されている。一方、裏面２０ｂの上には、電極２１ｂが配されている。詳細には、この電極２１ｂは、裏面２０ｂの上に設けられた透明導電膜２５ｂの上に配されている。」（段落【００１８】）と記載されるにとどまり、「台形状電極部の複数の電極部のうち第１の方向に隣り合う電極部の距離」との関係に係る記載や示唆はない。
　
エ　そして、「透明導電膜」と「線状電極部」に関して、上記「（２）」「イ」（第２の実施形態）によれば、「第１の実施形態」は、「複数の線状電極部３１の全体が透明導電膜２５ａの上に位置しており、線状電極部３１の端部が、透明導電膜２５ａの端辺に至っていない例」であり、また、「第２の実施形態」は、「線状電極部３１の端部は、透明導電膜２５ａの端辺に至っている」例であるとされ、線状電極部３１の端部が、透明導電膜２５ａの端辺に至っていない、あるいは、至っていると記載されるにとどまり、「一対の斜辺部に沿う透明導電膜の端面と一対の斜辺部との距離」と「台形状電極部の複数の電極部のうち第１の方向に隣り合う電極部の距離」との大きさの関係に係る記載や示唆はない。
　しかるに、訂正請求書の図４及び５は、本件明細書等の図４及び５に、特許権者が説明や符号を付加したものであるところ、本件明細書等には、「一対の斜辺部に沿う透明導電膜の端面と一対の斜辺部との距離」と「上底部および下底部を含み第２の方向に沿って延びる台形状電極部の複数の電極部のうち第１の方向に隣り合う電極部の距離」の大きさの関係に係る記載はなく、このような記載を付加してなされた、訂正請求書における上記（１）の説明は本件明細書等に基づいた説明であると認められず、また、当業者から見て本件明細書等の複数の記載から自明な事項であるとする理由も見あたらない。
　
オ　したがって、本件明細書等には、「一対の斜辺部に沿う透明導電膜の端面と一対の斜辺部との距離」が、「上底部および下底部を含み第２の方向に沿って延びる台形状電極部の複数の電極部のうち第１の方向に隣り合う電極部の距離」の半分以下であることを示す記載や示唆はなく、また、当業者から見て、本件明細書等の記載から自明な事項といえるものでもないから、上記訂正事項２は、本件明細書等に記載されたすべての事項を総合することにより導かれる技術的事項との関係において、新たな技術的事項を導入しないものとはいえないため、本件明細書等に記載した事項の範囲内においてしたものとはいえない。
　
（４）平成２９年６月２日付け意見書
ア　平成２９年６月２日付け意見書の概要は次のとおりである。
「（２）訂正拒絶理由について
　審判官殿は、平成２９年４月２８日付起案の訂正拒絶理由通知書において、本件訂正は、その訂正事項２において、特許法１２０条の５第９項の規定によって準用する特許法１２６条第５項の規定に適合しないので、当該訂正を認めることはできない、と判断されました。
　本件特許権者は、審判官殿のご判断を踏まえ、取消理由が通知された請求項（特許発明）を維持することを断念いたします。つまり、取消理由が通知されていない請求項６、請求項７、請求項８のうち請求項６および７を引用する発明、ならびに、請求項９のうち請求項６〜８を引用する発明を維持することを求めます。
　なお、請求項８については、請求項１〜７を引用しておりましたが、請求項１〜５の削除に伴い、請求項１〜５の引用関係を解消し、請求項６および７のみを引用するものとして維持されることを求めるものであります。
　また、請求項９については、請求項１〜８を引用しておりましたが、請求項１〜５の削除に伴い、請求項１〜５の引用関係を解消し、請求項６〜８のみを引用するものとして維持されることを求めるものであります。」
　
イ　平成２９年６月２日付け意見書について
　訂正拒絶理由通知後に訂正請求書の補正を行うことができるが、訂正請求書の補正ができる範囲は限られており、訂正事項の削除や、軽微な瑕疵の補正等の訂正請求書の要旨を変更しない微修正に限られる。
　ここで、平成２８年１０月１７日付け取消理由通知及び平成２９年１月２７日付け取消理由（決定の予告）通知は、いずれも、実質的には、請求項１〜５を引用する請求項８、９について審理するものである。
　しかしながら、上記の意見書で述べられた「なお、請求項８については、請求項１〜７を引用しておりましたが、請求項１〜５の削除に伴い、請求項１〜５の引用関係を解消し、請求項６および７のみを引用するものとして維持されることを求めるものであります。」及び「また、請求項９については、請求項１〜８を引用しておりましたが、請求項１〜５の削除に伴い、請求項１〜５の引用関係を解消し、請求項６〜８のみを引用するものとして維持されることを求めるものであります。」との訂正事項の補正を行うことは、当該請求項１〜５を引用する請求項８、９を削除することであるため、請求項６、７を引用する請求項８、９について、改めて審理する必要を生じさせるものとなる。
　そして、このような訂正事項の補正を行った場合は、特許法第１２０条の５第９項で準用する特許法第１３１条の２第１項の審理対象の拡張変更による審理遅延を防止するとの趣旨（知財高判平１８．１０．２５（平１７（行ケ）１０７０６号）、東高判平１２．３．２９（平１０（行ケ）４０７号））に反する、訂正事項を変更し訂正請求書の要旨を変更する補正を行うこととなるため、このような訂正事項の補正は認められない。
　なお、平成２８年１２月２６日付けの訂正請求は、平成２９年４月３日付けの訂正請求により取り下げられたものとみなされる。
　
３　小括
　以上のように、本件訂正は、請求項１ないし９からなる一群の請求項の請求項１に係る訂正事項２において、特許法第１２０条の５第９項の規定によって準用する特許法第１２６条第５項の規定に適合しないので、当該請求項１ないし９からなる一群の請求項に係る訂正である本件訂正を認めない。
　
第３　当審の判断
１　上記第２のとおり本件訂正は認められないので、特許第５８５７２３７号の請求項１ないし９の特許に係る発明は、それぞれ、本件の特許請求の範囲の請求項１ないし９に記載された事項によって特定される次のとおりのものである（以下、それぞれを「本件特許発明１」ないし「本件特許発明９」という。）。
「【請求項１】
　角部が面取り状である矩形状の光電変換部と、前記光電変換部の一主面の上に配された電極とを有する太陽電池セルであって、
　前記一主面は、第１の方向において前記面取り状角部が設けられている端部と、前記第１の方向において前記面取り状角部よりも中央側に位置している中央部とを含み、
　前記電極は、
　前記中央部に設けられており、前記第１の方向に対して垂直な第２の方向に沿って延びる複数の線状電極部と、
　前記端部に設けられており、前記第２の方向に沿って延びる上底部及び下底部と、前記上底部の端部と前記下底部の端部とを接続しており、前記面取り状角部の端辺に沿って延びる一対の斜辺部とを含む台形状電極部と、
　前記第１の方向に沿って設けられた複数の太陽電池セルを電気的に接続する配線材と少なくとも前記端部で接続され、前記複数の線状電極部、前記上底部及び前記下底部と直接接続されている少なくともひとつのバスバー部とを有し、
　前記斜辺部は前記バスバー部と直接接続されていない、太陽電池セル。
【請求項２】
　前記バスバー部は、前記端部から前記中央部にわたり一体的な矩形形状を有する、請求項１記載の太陽電池セル。
【請求項３】
　前記台形状電極部は、前記第１の方向において前記上底部と前記下底部との間に位置しており、前記一対の斜辺部間を接続している線状の電極部をさらに含む、請求項１または２に記載の太陽電池セル。
【請求項４】
　前記電極は、前記台形状電極部を複数含む、請求項１〜３のいずれか一項に記載の太陽電池セル。
【請求項５】
　前記一主面と前記電極との間において、前記一主面の端縁部を除いた部分を覆うように設けられている面状の透明導電膜をさらに備える、請求項１〜４のいずれか一項に記載の太陽電池セル。
【請求項６】
　前記複数の線状電極部は、前記透明導電膜の端辺に至るように設けられている、請求項５に記載の太陽電池セル。
【請求項７】
　前記電極は、前記上底部及び前記下底部の少なくとも一方の端部から前記第２の方向に沿って延び、前記透明導電膜の端辺に至る電極部をさらに有する請求項５または６に記載の太陽電池セル。
【請求項８】
　前記一主面は、受光面である、請求項１〜７のいずれか一項に記載の太陽電池セル。
【請求項９】
　請求項１〜８のいずれか一項に記載の複数の太陽電池セルと、
　前記複数の太陽電池セルを電気的に接続している配線材と、
を備え、
　前記配線材は、前記複数の線状電極部と交差するように配されている、太陽電池モジュール。」
　
２　刊行物の記載
　取消理由で通知した次の引用文献１ないし１１には、下記（１）ないし（１１）に摘記した事項が記載され、下記に示した発明ないし記載された事項が記載されていると認められる。
　
・引用文献１：「ＳＯＬＡＲ　ＣＥＬＬＳ，　Ｏｐｅｒａｔｉｎｇ　Ｐｒｉｎｃｉｐｌｅｓ，　Ｔｅｃｈｎｏｌｏｇｙ　ａｎｄ　Ｓｙｓｔｅｍ　Ａｐｐｌｉｃａｔｉｏｎｓ」，　ＭＡＲＴＩＮ　Ａ．ＧＲＥＥＮ，　１９９８年１２月、ｘｉｉ頁、９３頁、１１１〜１１３頁、１５３頁〜１５４頁、及び、１５６頁（申立人１）提出の甲第１号証。）
・引用文献２：特開２０１０−１０９３３４号公報（申立人１提出の甲第２号証）
・引用文献３：特開平１１−３１２８２０号公報（申立人１提出の甲第３号証）
・引用文献４：「Ｈｉｇｈ　ｐｅｒｆｏｒｍａｎｃｅ−Ｓｔａｂｌｅ　ｙｉｅｌｄｓ．　Ｂｏｓｃｈ　Ｓｏｌａｒ　Ｃｅｌｌ　Ｍ　３ＢＢ」，　ＢＯＳＣＨ，　２０１０年５月、１〜２頁（申立人１提出の甲第４号証）
・引用文献５：米国特許第４４８７９８９号明細書（申立人１提出の甲第５号証）
・引用文献６：「Ｈｉｇｈ　Ｅｆｆｉｃｉｅｎｃｙ　Ｓｏｌａｒ　Ｅｌｅｃｔｒｉｃ　Ｍｏｄｕｌｅｓ」，Ｃｏｐｙｒｉｇｈｔ　１９９１　Ｓｉｅｍｅｎｓ　Ｓｏｌａｒ　Ｉｎｄｕｓｔｒｉｅｓ，１１１−７０００１９−０１（２２４４）Ｐｒｉｎｔｅｄ　ｉｎ　ｔｈｅ　ＵＳＡ　６−９１、１〜２頁（申立人１提出の甲第６号証）
・引用文献７：「ＴＨＥ　ＩＮＦＬＵＥＮＣＥ　ＯＦ　ＴＥＸＴＵＲＥＤ　ＳＵＲＦＡＣＥＳ　ＯＦ　ＳＯＬＡＲ　ＣＥＬＬＳ　ＡＮＤ　ＭＯＤＵＬＥＳ　ＯＮ　ＴＨＥ　ＥＮＥＲＧＹ　ＲＡＴＩＮＧ　ＯＦ　ＰＶ　ＳＹＳＴＥＭＳ」、２０ｔｈ　Ｅｕｒｏｐｅａｎ　Ｐｈｏｔｏｖｏｌｔａｉｃ　Ｓｏｌａｒ　Ｅｎｅｒｇｙ　Ｃｏｎｆｅｒｅｎｃｅ，　６−１０　Ｊｕｎｅ　２００５，　Ｂａｒｃｅｌｏｎａ，　Ｓｐａｉｎ　２３８４〜２３８７頁（申立人２）提出の甲第１号証。）
・引用文献８：「Ｌａｒｇｅ　ｓｃａｌｅ　ｐｒｏｄｕｃｔｉｏｎ　ｏｆ　ｓｉｌｉｃｏｎ　ｓｏｌａｒ　ｃｅｌｌｓ　ａｔ　Ｑ−Ｃｅｌｌｓ　ＡＧ　ｉｎ　Ｔｈａｌｈｅｉｍ：　Ｈｉｓｔｏｒｙ，　Ｓｔａｔｕｓ　ａｎｄ　Ｆｕｔｕｒｅ　Ｐｒｏｓｐｅｃｔｓ」、１〜１７頁、ＵＲＬ：ｈｔｔｐ：／／ｗｗｗ．ｇａｃｃｗｅｓｔ．ｃｏｍ／ｆｉｌｅａｄｍｉｎ／ａｈｋ＿ｓａｎｆｒａｎｃｉｓｃｏ／Ｄｏｋｕｍｅｎｔｅ／２００５−１１＿Ｓｏｌａｒ＿Ｄａｙ／Ｑ−Ｃｅｌｌｓ．ｐｄｆ　印刷日：平成２８年７月１２日（申立人２提出の甲第２号証）
・引用文献９：「ｗｗｗ．　Ｇｒｅｅｎｅｒ　Ｅｎｅｒｇｙ　ＳＯＬＡＲ　ＣＥＬＬＳ」、１〜３２頁、ＵＲＬ：ｈｔｔｐ：／／ｗｗｗ．ｇｒｅｅｎｅｒｅｎｅｒｇｙ．ｃａ／Ｐｒｏｄｕｅｔｓ＿Ａｖａｉｌａｂｌｅ／ＧｒｅｅｎｅｒＥｎｅｒｇｙ＿Ｓｏｌａｒ＿％２０Ｃｅｌｌｓ．ｐｄｆ／　印刷日：平成２８年７月１２日（申立人２提出の甲第３号証）
・引用文献１０：特開２００９−１１１０３４号公報（申立人２提出の甲第４号証）
・引用文献１１：特開２００５−２６０１５０号公報（申立人２提出の甲第５号証）
　
（１）引用文献１には、以下の記載がある。
ア　「This solar cell is made from a thin wafer of the semiconductor silicon, about 10cm square and only a fraction of a millimeter thick. When the cell is illuminated, it converts the energy of the photons in the incident light into electrical energy. Under bright sunshine, the cell can supply a current of up to 3A at a voltage of about 1/2V to an electrical load connected between the metallic contact grid apparent here and a second at the rear of the cell. (Photograph courtesy of Motorola, Inc.)」
（申立人１による和訳：この太陽電池セルは、半導体シリコンの薄いウェハから形成され、約１０ｃｍ角で１ｍｍにも満たない厚みを有している。そのセルが受光すると、セルは入射光における光子エネルギーを電気エネルギーに変換する。日照下において、セルは、図に表されている金属電極グリッドと、セルの裏面に設けられた第２電極とに接続された電気負荷に最大で３Ａの電流、約１／２Ｖの電圧を供給することができる。（Ｍｏｔｏｒｏｌａ，Ｉｎｃ．の厚意の写真））（ｘｉｉ頁）
　
イ　「
Figure 5.4. Major features of a solar cell. Dimensions in the vertical direction are exaggerated compared to lateral dimensions for the purposes of illustration.」
（申立人１による和訳：
図５．４．太陽電池セルの主要特徴部分。垂直方向の寸法は、説明のために水平方向に比４て大きく表示している。）（９３頁　図５．４）
　
ウ　「2. The necessi ty of making electrical contact to both p-a nd n-type regions of solar cells generally results in a metal grid contact on the side of the cell exposed to sunlight. This blocks 5 to 15% of the incoming light.
（申立人１による和訳：２．一般に太陽電池セルのｐ型及びｎ型領域の両方に電極接点を形成する必要があり、太陽光が照射される側のセルに金属グリッド電極が設けられる。これは、５〜１５％の入射光を遮っている。）（９３頁１〜４行）
　
エ　「6.6 SOLAR CELLS TO SOLAR CELL MODULES」
（申立人１による和訳：６．６複数の太陽電池セルから太陽電池モジュールへ）（１１１頁４行）
　
オ　「
Figure 6.8. Stress relief loop, as generally required in the metallic interconnections between cells to prevent fatigue due to cyclic thermal and wind loading stresses. For maximum effect, the thickness of the interconnect, t, should be small and the height of the arch high as discussed in Ref. 6.5.」
（申立人１による和訳：
図６．８．一般的に応力緩和ループは、セル間をつなぐ金属配線において、繰り返しの熱負荷や風荷重の応力による疲労を防ぐ必要があった。最大の効果が得られるように、配線の厚みｔは小さくし、Ｒｅｆ．６．５で述べたように、アーチの高さを高くすべきである。）（１１３頁　図６．８）
　
カ　「Another important area of module design concerns the interconnections between the cells. It is common practice to use multiple interconnects for redundancy. This increases the module tolerance to interconnect failure (by corrosion or fatigue) as well as to cracked cells. Cyclic stresses are set up in the interconnects due to differentials in temperature expansion coefficients and wind loading. A stress-relief loop as indicated in Fig. 6.8 is generally required in the interconnect (Ref.6.5)」
（申立人１による和訳：モジュール設計におけるその他の重要な部分は、セル間をつなぐ配線である。たるみを設けて複数の配線を使用することは一般的である。これは、配線の（腐食や疲労による）不具合やセルの破損に対するモジュールの許容値を増加させている。熱膨張係数の違いや風荷重のために、配線には繰り返し応力が生じる。図６．８に示されるように応力緩和ループは、配線において一般に必要とされている。（Ｒｅｆ．６．５））（１１３頁４〜１１行）
　
キ　「8.6 TOP-CONTACT DESIGN 
 One important area of cell design is the design of the top metal contact grid. This area becomes increasingly important as the size of individual cells increases. Figure 8.10 shows some of the diverse approaches to top contact design which have been used in terrestrial cells. 
 There are several power-loss mechanisms associated with the top contact. The loss due to lateral current flow in the top diffused layer of the cell has already been described.　Additionally, there are losses due to the series resistance of the metal lines and the contact resistance between these lines and the semiconductor. Finally, there are the losses due to the shadowing of the cell by these lines. 
 In this section, the design of contacts for square or rectangular cells will be considered. Parallel techniques can be used for cells of more general shape. For common contact designs, two types of metallic elements can be identified as indicated in Fig. 8.11(a). Busbars are relatively heavy area of metallization directly connected to the external leads to the cell; fingers are finer elements which collect current for delivery to a busbar. As shown in Fig. 8.10, there can be more than one level of fingers in some cell designs. Fingers and busbars are usually either of constant width, linearly tapered, or have step changes in width.」
（申立人１による和訳：８．６　上部電極形状
　セル設計の一つの重要な部分は、上部金属電極グリッドの形状である。この部分は、個々のセルのサイズが大きくなるほど、ますます重要となる。図８．１０には、地上用セルに使用された異なる上部電極形状を示している。
　上部電極形状に関連していくつかの出力損失の構造がある。セルの上部拡散層内を水平方向に流れる電流による損失は既に述べている。加えて、金属電極の直列抵抗と、これらの電極と半導体との接触抵抗のために損失を生じる。最後に、これらの電極によってセルに影が生じるために損失を生じる。
　この節では、正方形または長方形のセルのための電極の形状について考察する。電極を平行に設けた技術は、より一般的な形状のセルに使用される。一般的な電極形状は、図８．１１（ａ）に示されるように、２つの金属部分に識別される。バスバーは、セルに対する外部導線が直接接続される比較的に金属領域が大きい部分である。フィンガーは、バスバーに送るために電流を集める、細い部分である。図８．１０に示されるように、セル設計においてフィンガーの階層を１以上にすることができる。フィンガーとバスバーは通常、幅が一定か、直線的に幅が小さくなるか、段階的に幅が変わるかのいずれかである。）（１５３頁２６行〜１５４頁８行）
　
ク　「Figure 8.10. Collection of production silicon solar cells, showing diverse approaches to the design of the top contact to the cell.」
（申立人１による和訳：図８．１０．異なる上部電極形状を示すシリコン太陽電池セルの製品群）（１５４頁　図８．１０）
　
ケ　「
Figure 8.11. (a)Schematic of a top contact design showing busbars and fingers. Also shown is the symmetry in this particular design whereby the contact can be broken down into 12 identical unit cells. (b)Important dimensions of a typical unit cell.」
（申立人１による和訳：
図８．１１（ａ）バスバーとフィンガーを示している上部電極形状の概略図。また、電極が１２個の同じュニットセルに分けられ、その特定形状の対称性が示されている。（ｂ）典型的なユニットセルの重要な寸法）（１５６頁　図８．１１）
　
コ　ｘｉｉ頁の写真及び図８．１０は次のものである。
【ｘｉｉ頁の写真】
【ｘｉｉ頁の写真についての申立人１による説明図（説明図１）】
（※写真でとらえられた太陽電池セルを線画で描いて符号を付した申立人１による説明図）
　
【図８．１０】
　
サ　上記アないしケの記載を踏まえて、上記コのｘｉｉ頁の写真、図５．４、図６．８、図８．１０及び図８．１１をみると、次の事項が見てとれる。
（ア）ｘｉｉ頁の写真には、金属電極グリッドが設けられた太陽電池セルが示されている。このため、ｘｉｉ頁の写真で捉えられた白っぽい線状のグリッド状の部分が、電極である。
　
（イ）図５．４には、太陽電池セルの太陽光が照射される側に金属グリッド電極が設けられることが記載されている。
　
（ウ）図６．８には、セル間をつなぐ配線が記載されている。
　
（エ）図８．１１には、電極形状は、２つの金属部分（外部導線が直接接続される比較的に金属領域が大きい部分であるバスバー、及びバスバーに送るために電流を集める、細い部分であるフィンガー）に識別されることが記載されている。
　
シ　以上アないしサを踏まえると、ｘｉｉ頁の写真には、角部が面取り状の光電変換部の一主面上に電極が配されており、写真の上下方向（第１の方向）において、角部が面取り状の光電変換部のうちの面取り状角部が設けられている端部に台形状の電極が存在し、一主面の中央側に複数のフィンガーが配されていることが示されている。
　また、ｘｉｉ頁の写真には、複数のフィンガーと、台形状の電極の上底部及び下底部とを直接接続しており、台形状の電極の斜辺部には直接接続されていないバスバー部が示されている。
　また、「フィンガーとバスバーは通常、幅が一定か、直線的に幅が小さくなるか、段階的に幅が変わるかのいずれかである」（上記キ）とされるから、バスバーは幅が一定、つまり、バスバー部（３３）は、端部（２０ａ２，２０ａ３）から中央部（２０ａ１）にわたり一体的な矩形形状を有するもの、であってよいといえる。
　また、図６．８には、太陽電池セルの受光面の少なくとも一端部に金属配線が接続されていることが示されている。
　つまり、ｘｉｉ頁の写真及び図６．８の記載などから、少なくとも面取り状角部が設けられている端部において、バスバー部に金属配線が接続されることがわかる。
　
ス　上記アないしシによれば、引用文献１には、下記（ア）の発明及び（イ）の記載事項が認められる。
（ア）「［１Ａ］角部が面取り状である矩形状の光電変換部（２０）と、該光電変換部の一主面（２０ａ）の上に配された電極（２１ａ）とを有する太陽電池セル（１０）であって、
［１Ｂ］一主面は、第１の方向において面取り状角部（２０Ａ〜２０Ｄ）が設けられている端部（２０ａ２，２０ａ３）と、第１の方向において面取り状角部よりも中央側に位置している中央部（２０ａ１）とを含み、
［１Ｃ］電極（２１ａ）は、
［１Ｄ］中央部に設けられており、第１の方向に対して垂直な第２の方向に沿って延びる複数の線状電極部（３１）と、
［１Ｅ］端部に設けられており、第２の方向に沿って延びる上底部（３２ａ１，３２ｂ１）及び下底部（３２ａ２，３２ｂ２）と、上底部の端部と下底部の端部とを接続しており、面取り状角部の端辺に沿って延びる一対の斜辺部（３２ａ３，３２ａ４，３２ｂ３，３２ｂ４）とを含む台形状電極部（３２ａ，３２ｂ）と、
［１Ｆ］第１の方向に沿って設けられた複数の太陽電池セルを電気的に接続する配線材と少なくとも端部で接続され、複数の線状電極部、上底部及び下底部と直接接続されている少なくともひとつのバスバー部（３３）とを有し、
［１Ｇ］斜辺部は前記バスバー部と直接接続されていない、太陽電池セル（１０）。」（申立人１のいう「甲１物発明」。）
　
（イ）「［１Ｈ］バスバー部（３３）は、端部（２０ａ２，２０ａ３）から中央部（２０ａ１）にわたり一体的な矩形形状を有する、
［１Ｊ］電極（２１ａ）は、台形状電極部（３２ａ，３２ｂ）を複数含む、
太陽電池セル（１０）。」　
「［１Ｌ］一主面は、受光面（２０ａ）である」、
「［１Ｍ］複数の太陽電池セル（１０）と、
［１Ｎ］複数の太陽電池セルを電気的に接続している配線材と、を備え、
［１Ｏ］配線材は、複数の線状電極部と交差するように配されている、太陽電池モジュール」
　
（２）引用文献２には、以下の記載がある。
ア　「【０００４】・・・ハイブリッド型太陽電池における太陽電池セルは、図１に示すように、ｎ型単結晶シリコン基板１１の受光面側に非結晶質のアモルファスシリコン層１２が形成され、このアモルファスシリコン層１２上にＩＴＯからなる透明電極１３、更に、透明電極１３上には、集電極１４が形成される。」
　
イ　「【００４３】・・・太陽電池セルの集電極は、例えば、太陽電池セルの平面を模式的に表した図２に示すように、２本のバスバー部１４ａと、このバスバー部１４ａと直交する複数本からなるフィンガー部１４ｂとを備える。」
　
ウ　「【００４６】
　また、図３に示すように、一般に太陽電池モジュール３０は、リード線３１により太陽電池セル３２同士を相互に電気的に接続されることで形成される。」
　
エ　図１ないし３は次のものである。
　
オ　上記アないしウの記載を踏まえて、上記エの図１ないし３を見ると、下記事項が見てとれる。
（ア）上記エの図２には、バスバー部１４ａが、複数本のフィンガー部１４ｂの全てと直交していることが記載されている。
　
（イ）上記エの図３には、バスバー部１４ａに沿ってリード線３１が接続されていることが記載されている。
　
カ　上記アないしオによれば、上記エの図２及び図３には、太陽電池セル１２の受光面の端部近傍において少なくともバスバー部１４ａの一端部にリード線３１が接続されることが記載されている。
　
キ　上記アないしカによれば、引用文献２には、下記（ア）ないし（エ）の記載事項が認められる。
（ア）「［２Ｆｆ］第１の方向に沿って設けられた複数の太陽電池セル（３２）を電気的に接続するリード線（３１）と少なくとも端部で接続されている、バスバー部（１４ａ）」
　
（イ）「［２Ｋ］一主面と電極（１４）との間において、一主面を覆うように設けられているＩＴＯからなる透明電極（１３）をさらに備える」
　
（ウ）「［２Ｍ］複数の太陽電池セル（３２）と、
［２Ｎ］複数の太陽電池セルを電気的に接続しているリード線（３１）と、を備え、
［２Ｏ］リード線は、複数のバスバー部（１４ｂ）と交差するように配されている、太陽電池モジュール（３０）」
　
（エ）「第１の方向に沿って設けられた複数の太陽電池セル（３２）を電気的に接続するリード線（３１）と少なくとも端部で接続され、複数のバスバー部（１４ｂ）と直接接続されている少なくともひとつのバスバー部（１４ａ）」
　
（３）引用文献３には、以下の記載がある。
ア　「【０００６】図４は通常の太陽電池モジュールに使用される太陽電池の一例を示す図であり、同図（Ａ）は断面構造図、また（Ｂ）は平面図である。
【０００７】同図において、１１はｐ型の導電性を有する単結晶シリコンの基板である。そして、基板１１の表面には約５μｍ程度の深さにまでｎ層１２が、ｎ型不純物を熱拡散させることにより形成されており、該ｎ層１２上に櫛型状の集電極１３が形成されている。また、基板１１の裏面には前記集電極１３と対をなす裏面電極１４が形成されている。
【０００８】また、同図（Ｂ）を参照して、集電極１３は、光の入射により基板１１内で生成された電子・正孔の光生成キャリアを収集するためのフィンガー部１３Ａと、フィンガー部１３Ａにより収集されたキャリアを集電するためのバスバー部１３Ｂとから構成されている。・・・
【００１０】次いで、図５は斯かる構造の太陽電池同士を接続タブ２にて接続した状態を示す図であり、同図（Ａ）は断面図、同図（Ｂ）は平面図である。尚、同図において、図３及び４と同様の構成を有する部分には、同一の符号を付している同図に示す如く、隣接する太陽電池１，１は、一方の太陽電池１の集電極１３におけるバスバー部１３Ｂと、他方の太陽電池１の裏面電極１４とが接続タブ２により接続されることで、互いに電気的に接続されている。」
　
イ　図４及び５は次のものである。
　
ウ　上記アの記載を踏まえて、上記イの図５を見ると、下記事項が見てとれる。
　図５には、バスバー部１３Ｂが、複数本のフィンガー部１３Ａの全てと直交しており、バスバー部１３Ｂに沿って接続タブ２が接続されていることが記載されている。
　
エ　上記アないしウによれば、上記イの図５には、太陽電池１の受光面の端部近傍において少なくともバスバー部１３Ｂの一端部に接続タブ２が接続されることが記載されている。
　
オ　上記アないしエによれば、引用文献３には、下記（ア）及び（イ）の記載事項が認められる。
（ア）「［３Ｆｆ］第１の方向に沿って設けられた複数の太陽電池セルを電気的に接続する配線材（２）と少なくとも端部で接続されている、バスバー部（１３Ｂ）」
　
（イ）「［３Ｍ］複数の太陽電池セル（１）と、［３Ｎ］複数の太陽電池セルを電気的に接続している配線材（２）と、を備え、［３０］配線材は、複数の線状電極部（１３Ａ）と交差するように配されている、太陽電池モジュール」
　
（４）引用文献４には、以下の記載がある。
ア　「High performance-Stable yields. Bosch Solar Cell M 3BB」
（申立人１による和訳：高特性一安定生産　ボッシュ太陽電池セルＭ３ＢＢ）」（１頁　表題）
　
イ　「
　　　　　　　　　　　　　　　　　　　　　　　　　　　　　　　　　　」
（申立人１による和訳：
　　　　　　　　　　　　　　　　　　　　　　　　　　　　　　　　　）
（２頁　上の表（テーブル））
　
ウ　「
　　　　　　　　　　　　　　　　　　　　　　　　　　　　　　　　　」
（申立人１による和訳：
　　　　　　　　　　　　　　　　　　　　　　　　　　　　　　　　　）
（２頁　外観図）
（２頁のＦｒｏｎｔ（表）についての申立人１による説明図（説明図４）
※太陽電池セルの外縁と電極を線画で描いて符号を付した申立人１による説明図）
　
エ　１頁の写真は次のものである。
【１頁の写真】
　
オ　以上アないしウを踏まえて、上記エの１頁の写真及び２頁の外観図をみると、次の事項が見てとれる。
（ア）２頁の製品特徴を示す上の表（テーブル）には、太陽電池の表電極に、銀を含有する３本のバスバーが含まれていることが示されている。このため、１頁の写真及び２頁の外観図の表（Ｆｒｏｎｔ）の白っぽい線状のグリッド状の部分が、電極である。
　
（イ）２頁の製品特徴を示す上の表（テーブル）には、表電極として、１．５ｍｍ幅の３本の銀のバスバーが設けられている旨が記載されている。よって、外観図の表（Ｆｒｏｎｔ）には、表電極に、横方向に伸びる複数の細い線状のフィンガー電極（線状電極部に相当）と、上下の端部にそれぞれ形成された台形状電極部と、複数のフィンガー電極と台形状電極部の上底部と下底部とに直接接続されているバスバー部と、が含まれていることが記載されている。
　
カ　上記アないしオによれば、引用文献４には、下記（ア）の発明及び（イ）の記載事項が認められる。
（ア）「［４Ａ］角部が面取り状である矩形状の光電変換部（２０）と、該光電変換部の一主面（２０ａ）の上に配された電極（２１ａ）とを有する太陽電池セル（１０）であって、
［４Ｂ］一主面は、第１の方向において面取り状角部（２０Ａ〜２０Ｄ）が設けられている端部（２０ａ２，２０ａ３）と、第１の方向において面取り状角部よりも中央側に位置している中央部（２０ａ１）とを含み、
［４Ｃ］電極（２１ａ）は、
［４Ｄ］中央部に設けられており、第１の方向に対して垂直な第２の方向に沿って延びる複数の線状電極部（３１）と、
［４Ｅ］端部に設けられており、第２の方向に沿って延びる上底部（３２ａ１，３２ｂ１）及び下底部（３２ａ２，３２ｂ２）と、上底部の端部と前記下底部の端部とを接続しており、面取り状角部の端辺に沿って延びる一対の斜辺部（３２ａ３，３２ａ４，３２ｂ３，３２ｂ４）とを含む台形状電極部（３２ａ，３２ｂ）と、
［４Ｆｒ］複数の線状電極部、上底部及び下底部と直接接続されている少なくともひとつのバスバー部（３３）とを有し、
［４Ｇ］斜辺部は前記バスバー部と直接接続されていない、太陽電池セル（１０）。」（申立人１のいう「甲４物発明」。）
　
（イ）「［４Ｉ］台形状電極部（３２ａ，３２ｂ）は、第１の方向において上底部（３２ａ１，３２ｂ１）と下底部（３２ａ２，３２ｂ２）との間に位置しており、一対の斜辺部（３２ａ３，３２ａ４，３２ｂ３，３２ｂ４）間を接続している線状の電極部（３２ａ５，３２ｂ５）をさらに含む」
「［４Ｊ］電極（２１ａ）は、台形状電極部（３２ａ，３２ｂ）を複数含む」
「［４Ｌ］一主面は、受光面（２０ａ）である」
　
（５）引用文献５には、以下の記載がある。
ア　「The front electrical contact 16 has two rows of solder pads--a left row 22 and a right row 24 (with reference to the view of FIG. 1). These rows of pads and one of the indicated pairs of body sides are parallei to one another. That pad-row-parallei pair of body sides cons ists of a left side 26 and a right side 28 (with reference to the vi ew of FIG. 1). The other, pad-row-transverse pair of body sides cons ists of a top 30 and bottom 32 side (with reference to the vi ew of FIG. １. 
 The cross-sectional view of FIG. 5 shows these transverse sides.」
（申立人１による和訳：表面電極１６は、左列２２と右列２４からなる２列の半田パッドを有する（図１を参照）。これらのパッドの列と、表示された本体側部の一対のうちの１つとは、互いに平行である。パッド列に平行な本体側部の一対は左側部２６と、右側部２８とから構成される（図１を参照）。一方で、パッド列を横断する本体側部の一対は、上部３０と、底部３２とから構成される（図１を参照）。図５の断面図は、パッド列を横断する側部を示す。）（５欄３８〜４８行）
　
イ　「The front contact has a number of sets of contact strips paral lei to each of the pairs of body s ides.」
（申立人１による和訳：表面電極は、本体側部の一対のそれぞれと平行である多くの一組の電極細線部を有する。）（５欄５１〜５２行）
　
ウ　「The details of the angle strips, the other strips and the pads are shown in FIG. 3, which shows the lower, right quadrant of FIG. 1. As is apparent by reference to FIG. 1, the upper, right quadrant is symmetrical to the lower, right quadrant, with respect to the midline of the cell face perpendicular to the pad-row-parallel s ides 26 and 28: the lower, left quadrant is symmetrical to the lower, right quadrant with respect to the midl ine perpendicular to the pad-row-transverse body sides 30 and 32; and the upper, left quadrant is symmetrical to the lower, right quadrant with respect to the point of intersection of these two midlines.」
（申立人１による和訳：傾斜細線部、他の細線部及びパッドの詳細は図３に示され、図３は図１の右下の四半部を示している。図１を参照すれば、パッド列に平行な側部２．６、２８と直角をなすセル表面の中心線に対して、右上の四半部は右下の四半部と対称であり；パッド列を横断する本体の側部３０、３２と直角をなす中心線に対して、左下の四半部は右下の四半部と対称であり；そして、これら２本の中心線の交差点に対して、左上の四半部は右下の四半部と対称である。）（５欄６０行〜６欄３行）
　
エ　「still continuing by way of introduction, the rear contact of the solar cell also has sets of strips parallel to the pad-row-parallel body sides 26 and 28, and parallel to the pad-row-transverse body sides 30 and 32, as well as a set of angle strips. It further has a left row of solder pads 52 and a right row of solder pads 54 (with reference to the view of FIG. 2), which run parallel to the pad-row-parallel body sides.」
（申立人１による和訳：続けて、太陽電池セルの裏面電極もパッド列に平行な本体側部２６、２８と平行である、または、パッド列を横断する本体側部３０、３２と平行である一組の細線部、及び一組の傾斜細線部を有する。裏面電極は、更に半田パッドの左列５２及び半田パッドの右列５４を有し（図２を参照）、半田パッドの列はパッド列に平行な本体側部と平行な方向に伸びている。）（６欄４〜１１行）
　
オ　「The generally checkerboard pattern resulting from the pad-row parallei strips and from the pad-row-transverse strips, ofcourse, is well evident.」
（申立人１による和訳：もちろん、パッド列に平行な細線部とパッド列を横断する細線部とによって、一般的な格子形状が形成されることは明らかである。）（７欄５４〜５７行）
　
カ　「It is also particularly adapted to decrease the significance of a misalignment of the connector strip which is soldered along a row of solder pads to connect cells such as the cell 12 in an array.」
（申立人１による和訳：また、裏面電極の特別な形状は、アレイ内の太陽電池セル１２を接続するために半田パッド列に沿って半田付けされる接続体のずれの影響を軽減するためにも、特に、適している。）（８欄６〜１０行）
　
キ　「A pad-row-transverse, end-pad-crossing-strip 122, crosses the end pad 106 and, in the immediate vicinity of the end pad, crosses the outside pad-row-parallel connector strip 112 and the end ins ide pad-row-parallel connector strip 114.」
（申立人１による和訳：パッド列を横断し、端部パッドと交差する細線部１２２は、端部パッド１０６と交差して、端部パッド近傍に設けられ、パッド列に平行で接続する外側の細線部１１２とパッド列に平行で接続する内側端部の細線部１１４と交差する。）（９欄５９〜６３行）
　
ク　「There is also a pad-row-transverse, Second-from-the-end pad cross ing strip 124. It crosses the second-from-the-end pad 108 and, in the immediate vicinity of such pad, crosses the outside pad-row-parallel connector strip 112 and the end inside pad-row-parallel connector strip 114.」
（申立人１による和訳：また、パッド列を横断し、第２の端部パッドと交差する細線部１２４も設けられる。細線部１２４は、第２の端部パッド１０８と交差して、そのパッド近傍に設けられ、パッド列に平行で接続する外側の細線部１１２とパッド列に平行で接続する内側端部の細線部１１．４と交差する。）（９欄６８行〜１０欄５行）
　
ケ　「Further with regard to pad-row-transverse strips, four of seven pad-row-transverse, middle-pad-crossing strips 126 are present in FIG. 3.」
（申立人１による和訳：さらにパッド列を横断する細線部に関して、７個のパッド列を横断し、中央パッドと交差する細線部１２６のうち４個が図３に示されている。）（１０欄１８〜２０行）
　
コ　「Eighteen of a total of thirty-six pad―row―transverse, non-pad-cross ing strips 127 are present in FIG. 3.」
（申立人１による和訳：合計３６個のパッド列を横断し、パッドと交差しない細線部１２７のうち１８個は図３に示されている。）（１０欄２９〜３１行）
　
サ　「The larger size of the end 106 and the Second-from-the-end 108 pad, as compared to the middle pads 110, is considered a significant advantage in addressing the misalignment of connector strips which are to be soldered along the pad rows.」
（申立人１による和訳：中央パッド１１０と比較して、端部パッド１０６及び第２の端部パッド１０８が大きなサイズを有することは、パッド列に沿って半田付けされる接続体のずれに対処する上で大変有利である。）（１０欄５１〜５５行）
　
シ　「A corner strip 128 shown in FIG. 3 has a single width which is the smallest of the widths which have been discussed in connect ion with other of the strips.」
（申立人１による和訳：図３に示されるコーナー細線部１２８は単一の幅を有し、その幅は上記した他の細線部の最も小さい幅と同じである。）（１０欄６４〜６７行）
　
ス　図１ないし図４は次のものである。
　【図１】　　　　　　　　　　　　【図２】
（図１についての申立人１による説明図（説明図５）
※図１に引き出し線と符号を付した申立人１による説明図）
　
【図３】
【図４】
　
セ　以上アないしシを踏まえて、上記スの図１ないし図４をみると、次の事項が見てとれる。
（ア）図１及び図３には、太陽電池セルの表面電極１６が、左列２２と右列２４からなる２列の半田パッド、パッド列を横断してパッドと交差する細線部１２２，１２４，１２６、パッド列を横断してパッドと交差しない細線部１２７、及びコーナー細線部１２８を含むことが記載されている。
　
（イ）図２及び図４には、太陽電池セルの裏面電極２０が、表面電極１６と類似した構成を有していることが記載されている。
　また、太陽電池セル１２のアレイにおいて太陽電池セル間を接続する接続体が、表面電極１６のパッド列に沿って半田付けされるとともに、裏面電極２０のパッド列に沿って半田付けされる（８欄６〜１０行目及び１０欄５１〜５５行）。
　
（ウ）このため、図１から図４では、横方向に伸びる複数の細線部（線状電極部に相当）に直接接続されているパッド列（バスバー部に相当）が開示されていることが分かる。
　
ソ　上記アないしセによれば、引用文献５には、下記（ア）の発明及び（イ）の記載事項が認められる。
（ア）「［５Ａ］角部が面取り状である矩形状の光電変換部（１４）と、該光電変換部の一主面（２０ａ）の上に配された電極（１６）とを有する太陽電池セル（１２）であって、
［５Ｂ］一主面は、第１の方向において面取り状角部（２０Ａ〜２０Ｄ）が設けられている端部（２０ａ２，２０ａ３）と、第１の方向において面取り状角部よりも中央側に位置している中央部（２０ａ１）とを含み、
［５Ｃ］電極（１６）は、
［５Ｄ］中央部に設けられており、第１の方向に対して垂直な第２の方向に沿って延びる複数の線状電極部（１２２，１２４，１２６，１２７）と、
［５Ｅ］端部に設けられており、第２の方向に沿って延びる上底部（３２ａ１，３２ｂ１）及び下底部（３２ａ２，３２ｂ２）と、上底部の端部と下底部の端部とを接続しており、面取り状角部の端辺に沿って延びる一対の斜辺部（１２８）とを含む台形状電極部（３２ａ，３２ｂ）と、
［５Ｆａ］第１の方向に沿って設けられた複数の太陽電池セルを電気的に接続する配線材と接続され、複数の線状電極部と直接接続されている、バスバー部とを有し、
［５Ｇ］斜辺部（１２８）はバスバー部と直接接続されていない、太陽電池セル（１２）。」（申立人１のいう「甲５物発明」。）
　
（イ）「［５Ｉ］台形状電極部（３２ａ，３２ｂ）は、第１の方向において上底部（３２ａ１，３２ｂ１）と下底部（３２ａ２，３２ｂ２）との間に位置しており、一対の斜辺部（１２８）間を接続している線状の電極部（３２ａ５，３２ｂ５）をさらに含む」
「［５Ｊ］電極（１６）は、台形状電極部（３２ａ，３２ｂ）を複数含む」
「［５Ｌ］一主面は、受光面（２０ａ）である」
「［５Ｍ］複数の太陽電池セル（１２）と、
［５Ｎ］複数の太陽電池セルを電気的に接続している配線材と、を備え、
［５Ｏ］配線材は、複数の線状電極部（１２２，１２４，１２６，１２７）と交差するように配されている、太陽電池モジュール」
　
（６）引用文献６には、以下の記載がある。
ア　「High Efficiency Solar Electric Modules」
（高効率太陽電池モジュール）（１頁　写真の見出し）
　
イ　「Siemens Single Crystal-A Superior Solar Cell」
(Siemens単結晶一高特性太陽電池セル）（２頁　左上の写真の見出し）
　
ウ　１頁の写真及び２頁の左上の写真は次のものである。
【１頁の写真】
　
【２頁の左上の写真】
　
（２頁の左上の写真についての申立人１による説明図（説明図６）
※太陽電池セルの外縁と電極を黒く描いている申立人１による説明図）
　
エ　以上ア及びイを踏まえて、上記ウの１頁の写真及び２頁の左上の写真をみると、次の事項が見てとれる。
（ア）１頁の写真には、面取り状角部を有する複数の太陽電池セルが一方向に沿って配線材で接続されてなる太陽電池モジュールが記載されていることが示されている。
　
（イ）２頁の左上の写真には、横方向に伸びる複数の細い線状のフィンガー電極（線状電極部に相当）と、上下の端部にそれぞれ形成された台形状電極部と、複数のフィンガー電極と台形状電極部の上底部と下底部とに直接接続されているバスバー部が存在していることが示されている。
　また、２頁の左上の写真には、台形状電極部は、バスバー部が伸びる第１の方向において上底部と下底部との間に、一対の斜辺鋤間を接続している線状の電極部が位置していることが示されている。
　
オ　上記アないしエによれば、引用文献６には、下記の記載事項が認められる。
「［６Ｆｂ］第１の方向に沿って設けられた複数の太陽電池セルを電気的に接続する配線材と少なくとも端部で接続され、複数の線状電極部、上底部及び下底部と直接接続されている少なくともひとつのバスバー部（３３）」
「［６Ｉ］台形状電極部（３２ａ，３２ｂ）は、前記第１の方向において上底部（３２ａ１，３２ｂ１）と下底部（３２ａ２，３２ｂ２）との間に位置しており、一対の斜辺部（３２ａ３，３２ａ４，３２ｂ３，３２ｂ４）間を接続している線状の電極部（３２ａ５，３２ｂ５）をさらに含む」
「［６Ｊ］電極（２１ａ）は、台形状電極部（３２ａ，３２ｂ）を複数含む。」
　
（７）引用文献７には、以下の記載がある。
ア　「2 MEASUREMENTS 
 2.1 Indoor measurements 
 Six single-cell-modules were prepared using two different cell types from Q-cells and three different glass types from Saint Gobain Glass, see Table 1. All glass samples were 3 mm thick. The 156mm multicrystalline cells Q6L were alkaline etched resulting in nearly non-textured surface and the 150mm monocrystalline cells Q6M were textured in the classical alkaline/ethanol bath resulting in the well-known pyramid structure with a very good texturisation effect. White Tedlar back sheets were used for the encapsulation of the single-cell modules, with black Tedlar laminated inside to form a frame with a surrounding gap of 3mm to the single cell in the center, see Figure 1. The short circuit Isc of the samples was measured on three different sun simulators each using the same measurement principle for the angle dependence of the Isc, i.e. a measurement stage, which allowed tilting the sample between incident angles θof ０°(perpendicular) and 90°.」
（申立人２による和訳：２　測定
２．１屋内測定
　Ｑセルズの２の異なるタイプのセルとサンゴパンガラスの３つの異なるタイプのガラスとを組み合わせて、６つのシングルセルモジュールを作製した、表１参盟。すべてのガラスサンプルは３ｍｍの厚みであった。１５６ｍｍの多結晶セルＱ６Ｌはアルカリエッチングによるほとんどテクスチャ化されていない表面を有していた。１５０ｍｍの単結晶セルＱ６Ｍは古典的なアルカリ／エタノール浴によりテクスチャ化され、よく知られているピラミッド構造を有し、極めて良好なテクスチャ化効果を有していた。シングルセルモジュールの封止には白テドラーバックシートが用いら，れ、中央のシングルセルに対して３ｍｍの周辺ギャップを有するフレームを形成するように、黒テドラーが内側に積層されていた、図１参照。サンプルの短絡電流Ｉｓｃを３つの異なる太陽シミュレータで測定した。いずれのシミュレータも、Ｉｓｃの角度依存性に関して同一の測定原理、すなわち、入射角θが０°（垂直）と９０°の間でチルト可能な測定ステージを用いるものであった。）（２３８４頁左欄２６行〜右欄５行）
　
イ「
　　　　　　　　　　　　　　　　　　　　　　　　　　　　　　　　　」
（申立人２による和訳：
　　　　　　　　　　　　　　　　　　　　　　　　　　　　　　　　　）
（２３８４頁右欄表１）
　
ウ　「
　Figure 1: Single-cell-module used for indoor mesurements」
（申立人２による和訳：
　図１：室内定用シングルセルモジユール　　　　　　　　　　　　　　）
（２３８４頁右欄図１）
　
エ　「2.1 Outdoor measurements 
 Outdoor measurements were performed with a large 2-axis tracker hosting twelve 500 Watt modules (″Mover″ from Solon-PV GmbH). The 500 Watt modules consist of 6 mm Diamant cover glass, white Tedlar back sheet and 80 series connected Q6M monocrystalline cells with a cell-to-cell distance of 3 mm. The angle dependence of the Isc was measured for a center module (Solon SerNo.217365) from perpendicular to horizontal irradiance in steps of 5°by using the automatic control of the 2 axis tracker in manual mode. 
 In a second run, the module was rotated in horizontal position around its second axis (″helicopter mode″) to investigate the effect of various orientations between the plane of incidence and the cell edge orientation. The angle of incidence was 40°, i.e. the sun hei^t was hs =50°.」
（申立人２による和訳：２．１屋外測定
　１２個の５００ワットモジュール（Ｓｏｌｏｎ−ＰＶＧｍｂＨの”Ｍｏｖｅｒ”）を保持した大型２軸ドラッカーにより屋外測定を実施した。５００ワットモジュールは、６ｍｍのディアマントカバーガラスと、テドラーバックシートと、３ｍｍのセル間距離で８０個が直列接続されたＱ６Ｍ単結晶セルとを備える。２軸ドラッカーのマニュアルモードの自動コントロールを用いて、中央のモジュール（Ｓｏｌｏｎシリアル番号２１７３６５）のＩｓｃの角度依存性を、垂直から水平までの照射を５°間隔で測定した。
　第２ランでは、モジュールを水平位置における第２軸周りに回転させ（ヘリコプターモード）、平面入射からセル端部の向きの間の種々の配置の影響を調査した。
入射角は４０°、すなわち太陽高度ｈｓ＝５０°であった。）（２３８５頁左欄１〜１６行）
　
オ　「
　Figure 2: 2-axis tracker used for outdoor angle dependence measurement of the Isc (″Mover″ from Solon-PV GmbH; Pmax =6kW at STC)」
（申立人２による和訳：
　図２．　Ｉｓｃの屋外角度依存測定の測定に用いた２軸ドラッカー（Ｓｏｌｏｎ−ＰＶＧｍｂＨの”Ｍｏｖｅｒ”；ＳＴＣにおけるＰｍａｘ＝６ｋＷ）（２３８５頁左欄図２）
　
カ　「For 0°and 180°the fingers on the cell are perpendicular to the plane of incidence. The increase of the Isc for orientations between -45°and -135°by 1％ is attributed to the reduced shading effect of the screen printed fingers of the cells, when the plane of incidence is parallel to the fingerers. With a 2.1 mm distance between the fingers and a height of 15 μm height this calculates to 0.6％ shading loss for the used incident angle of 40°in the perpendicular case. For the sake of unified measurement conditions, all measurement in the following were performed with the fingers orientation perpendicular to the plane of incidence」
（申立人２による和訳：０°および１８０°では、セル上のフィンガーは入射面と垂直である。入射面がフィンガーと平行である場合、−４５°から−１３５°において１％のＩｓｃの増加がみられたのは、セル上のスクリーン印刷フィンガーの遮光効果の低減に起因すると考えられる。垂直の場合に用いた入射角４０°における遮光ロスを、フィンガー間距離２．１ｍｍ、高さ１５Ａｔｍで計算すると、０．６％であった。以降の全ての測定は、一様な測定環境のために、フィンガーの配向を入射面と直交とした。）（２３８５頁左欄下から８行〜右欄４行）
　
キ　以上アないしカを踏まえて、上記ウの図１及び上記オの図２をみると、次の事項が見てとれる。
（ア）図１には、屋内測定に用いたシングルセルモジュールの写真が示されている。
　シングルモジュールでは、太陽電池セルの上面に、図の左右方向（ｙ方向）に延在する２本の配線材が配されており、太陽電池セルの下面に白バックシートが配されている。太陽電池セルは、略正方形状（いわゆるセミスクェア型）であり、４つの角部は曲線形状の切り欠きを有する面取り状である。太陽電池セルの上面には、図の上下方向（ｘ方向）に延在するフィンガー電極が設けられている。さらに、図の左右方向の中央部では、複数のフィンガー電極の端部を接続するように、図の左右方向（ｙ方向）に延在する電極が設けられており、図の左右方向の両端部（角部）では、約４５°の斜め方向に延在する電極が設けられ、この斜め方向の電極（斜辺部）が、複数のフィンガー電極を接続している。太陽電池セルの下面に配置された白バックシートは光を透過しないから、図１に示されている太陽電池セル（およびシングルモジュール）は、上面が受光面であることは明らかである。
　
（イ）図２には、２軸ドラッカーを用いてＭｏｖｅｒの屋外測定でのＩｓｃの角度依存性を測定した様子が写真で示されている。
　
ケ　上記アないしクによれば、引用文献７には、下記発明が認められる。
「（ａ）　４つの角部（１２０Ａ，１２０Ｂ，１２０Ｃおよび１２０Ｄ）が面取り状である矩形状の結晶シリコン基板を含むセル本体部（１２０）と、
（ｂ）　セル本体部の受光面上に配された電極と、
（ｆ）　を有する太陽電池セル（１１０）；
（ｌ）　太陽電池セルの受光面上に配された配線材（１４３）；および
（ｚ）　太陽電池セルの裏面に配された白バックシート（１４５）を有し、
（ｃ）　セル本体部（１２０）の受光面は、ｙ方向において面取り状角部が設けられている端部（１２０ａ２および１２０ａ３）と、ｙ方向において面取り状角部よりも中央側に位置している中央部（１２０ａ１）とを含み、
（ｄ）　セル本体部の受光面に配された電極は、
（ｄ１）　中央部（１２０ａ１）に設けられており、ｘ方向に沿って延びる約５０本の線状フィンガー電極（１３１）と、
（ｄ２）　端部（１２０ａ２および１２０ａ３）に設けられており、ｘ方向に沿って延びる上底部（１３２ａ１および１３２ｂ１）及び下底部（１３２ａ２および１３２ｂ２）と、上底部の端部と下底部の端部とを接続しており、面取り状角部の端辺に沿って延びる一対の斜辺部（１３２ａ３と１３２ａ４、および１３２ｂ３と１３２ｂ４）とを含む２つの台形状電極部（１３２ａおよび１３２ｂ）とを有し、
（ｈ）　２つの台形状電極部（１３２ａおよび１３２ｂ）のそれぞれは、ｙ方向において上底部（１３２ａ１および１３２ｂ１）と下底部（１３２ａ２および１３２ｂ２）との間に位置しており、一対の斜辺部（１３２ａ３と１３２ａ４、および１３２ｂ３と１３２ｂ４）間を接続している７本の線状フィンガー電極（１３２ａ５および１３２ｂ５）をさらに含み、
（ｍ）　太陽電池セルの受光面上のｙ方向に沿って、線状フィンガー電極（１３１、ならびに１３２ａ５および１３２ｂ５）と直交するように２本の配線材（１４３）が設けられており、
（ｖ）　配線材（１４３）は、２つの端部（１２０ａ２および１２０ａ３）と中央部（１２０ａ１）で太陽電池セルに接続されており、
（ｅ）　斜辺部（１３２ａ３，１３２ａ４，１３２ｂ３，１３２ｂ４）は、配線材（１４３）と直接接続されていない、
（ｗ）　シングルセルモジュール。」（申立人２のいう「引用発明１」。）
　
（８）引用文献８には、以下の記載がある。
ア　「Large scale production of silicon solar cells at Q-cells AG in Thalheim: Histry, Status and Future Prospects」
（申立人２による和訳：ＱセルズＡＧのタルハイムにおけるシリコン太陽電池の大規模製造：歴史、現状および将来の展望）（１頁の表題）
　
イ　「■Q6LTT Multi 
- 156mm x 156mm x 220μm, high efficient multicrystalline cell, acidic texured -＞200μm in 2005 
- Alternative: Q6L Multi 156mm x 156mm x 220μmalkaline etched 
■Q6L-M Mono 10％ more efficiency 
- High aesthetical appearance 
■210mm Q8TT 234 bus bars 
- The new standard, 80％ more power per cell 
Back contact Q8BC 
- Advantageous for innovative module technologies 
■Others 
- Qi: 3 bus bars 4 inch replacement for consumer products 
■RD on: 17% multi and 20% mono cells」
（申立人２による和訳：■Ｑ６ＬＴＴ　Ｍｕｌｔｉ
−１５６ｍｍ　×　１５６ｍｍ　×　２２０μｍ、高効率多結晶セル、酸テクスチャ化　→　２００５年に２００μｍ
−代替品：Ｑ６Ｌ　Ｍｕｌｔｉ　１５６ｍｍ　×　１５６ｍｍ　×　２２０μｍアルカリエッチングされたもの
■Ｑ６Ｌ−Ｍ　Ｍｏｎｏ　さらに１０％効率的
−高い審美的外観
■２１０ｍｍ　Ｑ８ＴＴ　２＆３＆４　バスバー
−新標準、１セルあたり８０％さらに高出力
バックコンタクトＱ８ＢＣ
−革新的なモジュール技術で有用
■その他
−Ｑｉ：　消費財用の３バスバー４インチ代替品
■Ｒ＆Ｄでは：　１７％　ｍｕｌｔｉ　及び　２０％　ｍｏｎｏセル）（５頁２行〜最下行）
　
ウ　「■Product : Q5 (2001) -＞ Q6 (2002) -＞Q8 (2004) 
power: 100% 144% 280% 
■　-＞lower production cost over the whole value chain」
（申立人２による和訳：■製品：　Ｑ５（２００１）　→　Ｑ６（２００２）　→　Ｑ８（２００４）
出力：　１００％　１４４％　２８０％
→バリューチェーン全体で低製造コスト）（６頁２〜４行）
　
エ　「■Innovative product strategy 
-The six inch cells ..Q6″and ″Q6L″introduced in 2002/2004 are copied by a most all European competitors now」
（申立人２による和訳：■革新的な製品戦略
２００２／２００４年に導入された６インチセル『Ｑ６』および『Ｑ０６Ｌ』は、今ではほとんどすべての欧州の競合他社がコピーしている）（７頁５〜７行）
　
オ　「Ramp-up years: Facts  Figures 
　　　　　　　　　　　　　　　　　　　　　　　　　　　　　　　　　　」
（申立人２による和訳：年次の増加：事実と数字
■事実と数字
　　　　　　　　　　　　　　　　　　　　　　　　　　　　　　　　　）
（８頁１〜２行及び表）
　
カ　「　
　　　　　　　　　　　　　　　　　　　　　　　　　　　　　　　　　」
（申立人２による和訳：
　　　　　　　　　　　　　　　　　　　　　　　　　　　　　　　　　）
（１１頁の表）
　
キ　「Future Technology Approaches:2006」
(申立人２による和訳：将来の技術アプローチ：２００６)
　
ク　６頁の写真は次のものである。
【６頁の写真】
　
ケ　以上アないしキを踏まえて、上記クの６頁の写真をみると、次の事項が見てとれる。
　Ｑ５（２００１）、Ｑ６（２００２）、Ｑ８（２００４）との記載があり、その下に太陽電池セルの写真が４つ並んでいる。左から２番目のＱ６ＬＴＴ／Ｑ６Ｌ−Ｍの写真によれば、Ｑセルズが２００２年頃から製造販売しているＱ６ＬＴＴおよびＱ６Ｌ−Ｍの写真であることが分かる。そして、背面に写っている太陽電池セルは、角部が面取り状であり、面取り状角部の端辺に沿って４５°方向に延びる電極（斜辺部）を有している。写真の前面に写っている太陽電池セルは、写真の横方向に延在するフィンガー電極と、縦方向に延在する２本のバスバー電極を備え、バスバー電極は両端部が先細った形状となっている。背面に写っている太陽電池セルは、写真の横方向に延在するフィンガー電極と縦方向に延在する２本のバスバー電極を備え、バスバー電極は先細っておらず縦方向を長辺とする矩形形状であること。
　
（９）引用文献９には、以下の記載がある。
ア　「
　　　　　　　　　　　　　　　　　　　　　　　　　　　　　　　　　」
（申立人２による和訳：
　　　　　　　　　　　　　　　　　　　　　　　　　　　　　　　　　）
（１９頁の「Ｔｈｅ　Ｑ−Ｃｅｌｌｓ　Ｑ６ＬＭ」及び「Ｔｈｅ　Ｑ−Ｃｅｌｌｓ　Ｑ６ＬＴＴ」の写真及び説明）
　
イ　「
　　　　　　　　　　　　　　　　　　　　　　　　　　　　　　　　　」
（申立人２による和訳：
　　　　　　　　　　　　　　　　　　　　　　　　　　　　　　　　　）
（２０頁の「ＰＲＯＤＵＣＴ　ＰＯＲＴＦＯＬＩＯ」の図）
　
ウ　「Proof has been furnished that the requirements according to
　　　　　　　　　　DIN EN ISO 9001:2000
　　　　　　　　　　　　are fulfilled
　　　　　　　The certficate is valid until 2008-08-14
　　　　　　Certificate Regtstration No.01 100 055125」
（申立人２による和訳：DIN EN ISO 9001:2000による要求を満足していることの証明書が備わっている。この証明書は2008-08-14まで有効である。証明書番号：01 100 055125）
（２２頁の「CERTFICATE」の段落の下から５行〜最下行）
　
（１０）上記（８）の引用文献８の記載事項及び上記（９）の引用文献９からは下記の記載事項が認められる。
「Ｑ６ＬＭの外観は、引用文献７の図１に示されている太陽電池セルと同一である。」
「Ｑセルズ製のＱ６シリーズの結晶シリコン太陽電池は、フィンガー電極に直交するバスバー電極を備えていた。」
　
（１１）引用文献１０には、以下の記載がある。
ア　「【００２４】
　図５及び図６に示すように、上記太陽電池素子５、５、・・・は、上面及び下面にそれぞれ数μｍから数十μｍの高さを有するピラミッド状凹凸を有するｎ型単結晶シリコン基板１１の該上面上にｉ型非晶質シリコン層１２、ｐ型非晶質シリコン１３及び酸化インジウムスズ（ＩＴＯ）膜等の透明電導膜１４がこの順序で形成されている。
【００２５】
　そして、前記透明電導膜１４の上面上には、銀（Ａｇ）ペーストが硬化されてなる集電極１５が形成されており、該集電極１５は互いに平行な２本の幅約１．５ｍｍ、厚さ約５０μｍの直線状のバスバー部１５ａ、１５ａとフィンガー部１５ｂで構成されている。」
　
イ　「【００３５】
　前記第３の接続部材２６、２６は一方の太陽電池素子群６の一方の太陽電池素子５の上面側のバスバー部１５ａ、１５ａ上と他方の太陽電池素子５の上面側のバスバー部１５ａ、１５ａ上にその直線部が半田により接合されると共に、その延在部が折り曲げられ、他方の太陽電池素子群６の隣り合う側の太陽電池素子５の下面上の第１の接続部材２１の端部上にその端部が半田により接合されている。」
　
ウ　図１、２、３、５及び６は次のものである。
【図１】
【図２】
【図３】
【図５】
【図６】
　
エ　以上ア及びイを踏まえて、上記ウの図１、２、３、５及び６をみると、次の事項が見てとれる。
　図２、３には太陽電池モジュールの概略構成図（平面図）が示されており、図１には太陽電池モジュールの概略断面図が示されている。図５には太陽電池素子の平面図が示されており、図６には太陽電池素子の断面図が示されている。
　図６によれば、太陽電池素子は、ｎ型単結晶シリコン基板（１１）上に、ｉ型非晶質シリコン層（１２）、ｐ型非晶質シリコン（１３）及び酸化インジウムスズ（ＩＴＯ）膜等の透明電導膜（１４）を備え、透明電導膜（１４）上に、直線状のバスバー部（１５ａ）とフィンガー部（１５ｂ）で構成される集電極１５を備える。
　図５（ａ）によれば、受光面のバスバー部１５ａとフィンガー部１５ｂとは直交している（図５（ａ））。図５（ａ）および図５（ｂ）において、バスバー部（１５ａ，１９ａ）は、太陽電子素子の両端部を結ぶ一体的な矩形形状を有している。
　図１に示す太陽電池モジュールにおいて、太陽電池素子（５）は、角部が面取りされた矩形状である。受光面のバスバー部（１５ａ）は、接続部材（２６）と半田により接合されている。
　
オ　上記アないしエによれば、引用文献１０には、下記の記載事項が認められる。
「角部が面取り状の矩形状である光電変換部の受光面上に、フィンガー部（１５ｂ）とフィンガー部に直交するバスバー部（１５ａ）とからなる集電極（１５）を備え、光電変換部の受光面と集電極との間にＩＴＯ等からなる透明導電膜（１４）を備える太陽電池素子。」
「複数の太陽電池素子（５）のバスバー電極（１５ａ，１９ａ）を、接続部材（２１，２２，２６〜４０）を介して電気的に接続した太陽電池モジュール。」
　
（１２）引用文献１１には、以下の記載がある。
ア　「【００１６】
　また、ｐ型非晶質シリコン（ａ−Ｓｉ）層４上には、約１００ｎｍの厚みを有する透明導電膜としてのスパッタ法によりＩＴＯ膜５が形成されている。このＩＴＯ膜５は、ＳｎＯ2を添加したＩｎ2Ｏ3によって形成されている。なお、ＩＴＯ膜５の光の透過率を向上させるために、ＩＴＯ膜５中のＳｎの含有率は、好ましくは、約５質量％以下、より好ましくは、約２質量％以下に設定する。この発明によるＩＴＯ膜５は、後述するように、水との接触角が１度以下になるように、表面が改質されている。
【００１７】
　更に、このＩＴＯ膜５の上面上の所定領域には、櫛型状の集電極（ペースト電極）６が形成されている。この集電極６は、銀（Ａｇ）からなる導電性フィラーと熱硬化性樹脂とによって構成され、印刷により所定のパターンに形成されている。この集電極６は、図２に示すように、フィンガー部６Ａとバスバー部６Ｂで構成されている。」
　
イ　「【００４５】
　図９に、この発明による光電変換素子素子１を用いた太陽電池モジュール１１を示す。図９に示すように、太陽電池モジュール１１は、複数の光電変換素子１を備えている。この複数の光電変換素子１の各々は、互いに隣接する他の太陽電池素子１と扁平形状の銅箔からなるタブ１２を介して直列に接続されている。また、タブ１２の一方端側は、所定の太陽電池素子１の上面側の集電極６（図１参照）に接続されるとともに、他方端側は、その所定の太陽電池素子１に隣接する別の太陽電池素子１の下面側の集電極１０（図１参照）に接続されている。」
　
ウ　図１、２及び９は次のものである。
　
エ　以上ア及びイを踏まえて、上記ウの図１、２及び９をみると、次の事項が見てとれる。
　図２によれば、集電極（６）は、フィンガー部（６Ａ）と、フィンガー部に直交するバスバー部（６Ｂ）で構成される櫛形電極である。バスバー部（６Ｂ）は、太陽電子素子の両端部を結ぶ一体的な矩形形状を有している。
　図１では、上面側のｉ型非晶質シリコン層（３）、ｐ型非晶質シリコン層（４）およびＩＴＯ膜（５）、ならびに裏面側のｉ型非晶質シリコン層（７）、ｎ型非晶質シリコン層（８）およびＩＴＯ膜（９）の端部が、ｎ型単結晶シリコン基板（２）の端部よりも内側に位置している。
　図９の太陽電池モジュール（１１）は、複数の太陽電池素子（１）が、互いに隣接する他の太陽電池素子１と扁平形状の銅箔からなるタブ（１２）を介して直列に接続されている。タブ（１２）の一方端側は、所定の太陽電池素子（１）の上面側の集電極（６）に接続されるとともに、他方端側は、その所定の太陽電池素子１に隣接する別の太陽電池素子１の下面側の集電極（１０）に接続されている。
　
オ　上記アないしエによれば、引用文献１１には、下記の記載事項が認められる。
「上面側のｉ型非晶質シリコン層（３）、ｐ型非晶質シリコン層（４）およびＩＴＯ膜（５）、ならびに裏面側のｉ型非晶質シリコン層（７）、ｎ型非晶質シリコン層（８）およびＩＴＯ膜（９）の端部が、ｎ型単結晶シリコン基板（２）の端部よりも内側に位置している。」
「透明導電膜としてのＩＴＯ膜（５，８）が、シリコン基板の両主面の端縁部を除いた部分を覆うように設けられている。」
　
３　判断
（１）本件特許発明１について
ア　本件特許発明１と甲１物発明とを対比する。
（ア）甲１物発明における「［１Ａ］角部が面取り状である矩形状の光電変換部（説明図１の２０）と、該光電変換部の一主面（説明図１の２０ａ）の上に配された電極（説明図１の２１ａ）とを有する太陽電池セル（説明図１の１０）」は、本件特許発明１における「角部が面取り状である矩形状の光電変換部と、前記光電変換部の一主面の上に配された電極とを有する太陽電池セル」に相当する。
　
（イ）甲１物発明における「［１Ｂ］一主面は、第１の方向において面取り状角部（説明図１の２０Ａ〜２０Ｄ）が設けられている端部（説明図１の２０ａ２，２０ａ３）と、第１の方向において面取り状角部よりも中央側に位置している中央部（説明図１の２０ａ１）とを含み」は、本件特許発明１における「前記一主面は、第１の方向において前記面取り状角部が設けられている端部と、前記第１の方向において前記面取り状角部よりも中央側に位置している中央部とを含み」に相当する。
　
（ウ）甲１物発明における「［１Ｃ］電極（説明図１の２１ａ）」は、本件特許発明１における「前記電極」に相当する。
　
（エ）甲１物発明における「［１Ｄ］中央部に設けられており、第１の方向に対して垂直な第２の方向に沿って延びる複数の線状電極部（説明図１の３１）」は、本件特許発明１における「前記中央部に設けられており、前記第１の方向に対して垂直な第２の方向に沿って延びる複数の線状電極部」に相当する。
　
（オ）甲１物発明における「［１Ｅ］端部に設けられており、第２の方向に沿って延びる上底部（説明図１の３２ａ１，３２ｂ１）及び下底部（説明図１の３２ａ２，３２ｂ２）と、上底部の端部と下底部の端部とを接続しており、面取り状角部の端辺に沿って延びる一対の斜辺部（説明図１の３２ａ３，３２ａ４，３２ｂ３，３２ｂ４）とを含む台形状電極部（説明図１の３２ａ，３２ｂ）」は、本件特許発明１における「前記端部に設けられており、前記第２の方向に沿って延びる上底部及び下底部と、前記上底部の端部と前記下底部の端部とを接続しており、前記面取り状角部の端辺に沿って延びる一対の斜辺部とを含む台形状電極部」に相当する。
　
（カ）甲１物発明における「［１Ｆ］第１の方向に沿って設けられた複数の太陽電池セルを電気的に接続する配線材と少なくとも端部で接続され、複数の線状電極部、上底部及び下底部と直接接続されている少なくともひとつのバスバー部（説明図１の３３）」は、本件特許発明１における「前記第１の方向に沿って設けられた複数の太陽電池セルを電気的に接続する配線材と少なくとも前記端部で接続され、前記複数の線状電極部、前記上底部及び前記下底部と直接接続されている少なくともひとつのバスバー部」に相当する。
　
（キ）甲１物発明における「［１Ｇ］斜辺部は前記バスバー部と直接接続されていない、太陽電池セル（説明図１の１０）。」は、本件特許発明１における「前記斜辺部は前記バスバー部と直接接続されていない、太陽電池セル。」に相当する。
　
（ク）上記（ア）ないし（キ）によれば、両者は
「角部が面取り状である矩形状の光電変換部と、前記光電変換部の一主面の上に配された電極とを有する太陽電池セルであって、
　前記一主面は、第１の方向において前記面取り状角部が設けられている端部と、前記第１の方向において前記面取り状角部よりも中央側に位置している中央部とを含み、
　前記電極は、
　前記中央部に設けられており、前記第１の方向に対して垂直な第２の方向に沿って延びる複数の線状電極部と、
　前記端部に設けられており、前記第２の方向に沿って延びる上底部及び下底部と、前記上底部の端部と前記下底部の端部とを接続しており、前記面取り状角部の端辺に沿って延びる一対の斜辺部とを含む台形状電極部と、
　前記第１の方向に沿って設けられた複数の太陽電池セルを電気的に接続する配線材と少なくとも前記端部で接続され、前記複数の線状電極部、前記上底部及び前記下底部と直接接続されている少なくともひとつのバスバー部とを有し、
　前記斜辺部は前記バスバー部と直接接続されていない、太陽電池セル。」
である点で一致する。
　
イ　以上アの検討によれば、甲１物発明は本件特許発明１の構成をすべて備えている。
　よって、本件特許発明１は、甲１物発明である。
　
（２）本件特許発明２について
ア　本件特許発明２は本件特許発明１を引用する発明であって、本件特許発明１に「前記バスバー部は、前記端部から前記中央部にわたり一体的な矩形形状を有する」との発明特定事項（以下「発明特定事項１」という。）を付加するものである。
　
イ　本件特許発明２と甲１物発明の対比
　甲１物発明における「［１Ｈ］バスバー部（説明図１の３３）は、端部（説明図１の２０ａ２，２０ａ３）から中央部（説明図１の２０ａ１）にわたり一体的な矩形形状を有する（ｘｉｉ頁の写真）、太陽電池セル」は、発明特定事項１に相当する。
　したがって、上記（１）での検討を踏まえると、甲１物発明は本件特許発明２の構成をすべて備えている。
　よって、本件特許発明２は、甲１物発明である。
　
（３）本件特許発明３について
ア　本件特許発明３は本件特許発明１または２を引用する発明であって、本件特許発明１または２に、「前記台形状電極部は、前記第１の方向において前記上底部と前記下底部との間に位置しており、前記一対の斜辺部間を接続している線状の電極部をさらに含む」との発明特定事項（以下「発明特定事項２」という。）を付加するものである。
　
イ　本件特許発明３と甲１物発明の対比
　発明特定事項２の点については、引用文献４に、「［４Ｉ］台形状電極部（３２ａ，３２ｂ）は、第１の方向において上底部（３２ａ１，３２ｂ１）と下底部（３２ａ２，３２ｂ２）との間に位置しており、一対の斜辺部（３２ａ３，３２ａ４，３２ｂ３，３２ｂ４）間を接続している線状の電極部（３２ａ５，３２ｂ５）をさらに含む」（上記「２」「（４）」「カ」「（イ）」）ことが、引用文献５に、「［５Ｉ］台形状電極部（３２ａ，３２ｂ）は、第１の方向において上底部（３２ａ１，３２ｂ１）と下底部（３２ａ２，３２ｂ２）との間に位置しており、一対の斜辺部（１２８）間を接続している線状の電極部（３２ａ５，３２ｂ５）をさらに含む」（上記「２」「（５）」「ソ」「（イ）」）ことが、及び、引用文献６に、「［６Ｉ］台形状電極部（３２ａ，３２ｂ）は、前記第１の方向において上底部（３２ａ１，３２ｂ１）と下底部（３２ａ２，３２ｂ２）との間に位置しており、一対の斜辺部（３２ａ３，３２ａ４，３２ｂ３，３２ｂ４）間を接続している線状の電極部（３２ａ５，３２ｂ５）をさらに含む」（上記「２」「（６）」「オ」）ことが記載されているといえる。
　そして、甲１物発明の太陽電池セルにおいて、集電効率を上げることは周知の解決すべき課題であるところ、上記引用文献４〜６に記載された事項のように、台形状電極部において、第１の方向において上底部と下底部との間に、一対の斜辺部間を接続している線状の電極部をさらに設けると集電効率が上がること当業者にとって明らかである。
　したがって、甲１物発明に上記引用文献４〜６に記載された事項を適用して、発明特定事項２に係る本件特許発明３の構成となすことは当業者が容易に想到し得たことである。
　
（４）本件特許発明４について
ア　本件特許発明４は本件特許発明１ないし３のいずれかを引用する発明であって、本件特許発明１ないし３のいずれかに、「前記電極は、前記台形状電極部を複数含む」との発明特定事項（以下「発明特定事項３」という。）を付加するものである。
　
イ　本件特許発明４と甲１物発明の対比
　発明特定事項３の点については、甲１物発明における「［１Ｊ］電極（２１ａ）は、台形状電極部（３２ａ，３２ｂ）を複数含む」が、発明特定事項３に相当する。
　したがって、上記（１）及び（２）での検討を踏まえると、甲１物発明は本件特許発明１または２を引用し本件特許発明３を引用しない本件特許発明４の構成をすべて備えているから当該本件特許発明４は、甲１物発明である。
　また、上記（３）での検討を踏まえると、本件特許発明３を引用する本件特許発明４は、甲１物発明に引用文献４〜６に記載された事項を適用することにより当業者が容易に想到し得たものである。
　
（５）本件特許発明５について
ア　本件特許発明５は本件特許発明１ないし４のいずれかを引用する発明であって、本件特許発明１ないし４のいずれかに、「前記一主面と前記電極との間において、前記一主面の端縁部を除いた部分を覆うように設けられている面状の透明導電膜をさらに備える」との発明特定事項（以下「発明特定事項４」という。）を付加するものである。
　
イ　本件特許発明５と甲１物発明の対比
　発明特定事項４について検討する。
（ア）ａ　引用文献２に、「［２Ｋ］一主面と電極（１４）との間において、一主面を覆うように設けられているＩＴＯからなる透明電極（１３）をさらに備える」（上記「２」「（２）」「キ」「（イ）」）ことが記載されている。
　また、引用文献２には、「透明電極１３上には、集電極１４が形成される」（上記「２」「（２）」「ア」）ことが記載されている。
ｂ　引用文献１０には、「角部が面取り状の矩形状である光電変換部の受光面上に、フィンガー部（１５ｂ）とフィンガー部に直交するバスバー部（１５ａ）とからなる集電極（１５）を備え、光電変換部の受光面と集電極との間にＩＴＯ等からなる透明導電膜（１４）を備える太陽電池素子。」（上記「２」「（１１）」「オ」）が記載されている。
ｃ　引用文献１１には、「上面側のｉ型非晶質シリコン層（３）、ｐ型非晶質シリコン層（４）およびＩＴＯ膜（５）、ならびに裏面側のｉ型非晶質シリコン層（７）、ｎ型非晶質シリコン層（８）およびＩＴＯ膜（９）の端部が、ｎ型単結晶シリコン基板（２）の端部よりも内側に位置している。」こと、及び、「透明導電膜としてのＩＴＯ膜（５，８）が、シリコン基板の両主面の端縁部を除いた部分を覆うように設けられている。」（上記「２」「」（１２）」「オ」）ことが記載されている。
　
（イ）甲１物発明の「太陽電池セル（１０）」のような太陽電池セルにおいて集電効率を向上することは周知の課題であるところ、上記（ア）のとおり、「（半導体層からなる光電変換部の）一主面と電極との間において、一主面を覆うように設けられている面状の透明導電膜」を設けることは周知技術であり、このような、透明導電膜を設ければ、光電変換部と電極の間の接続による電気抵抗を低減し、集電効率が向上することは予測し得る程度のことにすぎないから、透明導電膜を設けることに格別の困難性はない。
　
（ウ）そして、甲１物発明の「面取り状角部」を有する「太陽電池セル（１０）」に、「一主面と電極との間において、一主面を覆うように設けられている面状の透明導電膜」を設けるに際して、その端部をどのようにするかは、適宜定めるべき設計的事項であるところ、「電極」と「面状の透明導電膜」の関係は、引用文献２に「透明電極１３上には、集電極１４が形成される」（上記「（イ）」「ａ」）、及び、引用文献１０に「受光面と集電極との間にＩＴＯ等からなる透明導電膜（１４）を備える」（上記「（イ）」「ｂ」）と記載されているように、端部での集電効率を考慮すれば、その端部において透明導電膜が一対の斜辺部（電極）よりも外側に至る様に設けられることは当然の構成にすぎない。
　さらに、引用文献１１に「ＩＴＯ膜の端部が、ｎ型単結晶シリコン基板（２）の端部よりも内側に位置している」（上記「（イ）」「ｃ」）と記載されている構成を採用して、端部において透明導電膜を面取り状角部の端辺に沿って形成されてものとなすことにも格別の技術的困難性はない。
　よって、引用文献２、１０及び１１に記載の周知の技術的事項より上記発明特定事項４に係る本件特許発明５の構成となすことは、当業者が容易に想到し得たことである。
　
ウ　したがって、上記（１）、（２）及び（４）での検討を踏まえると、本件特許発明３を引用しない本件特許発明５は、甲１物発明、並びに、引用文献２、１０及び１１に記載の周知の技術的事項より当業者が容易に想到し得たものである。
　また、上記（１）ないし（４）での検討を踏まえると、本件特許発明３を引用する本件特許発明５は、甲１物発明、引用文献４〜６に記載された事項、並びに、引用文献２、１０及び１１に記載の周知の技術的事項を適用することにより当業者が容易に想到し得たものである。
　
（６）本件特許発明８について
ア　本件特許発明８は本件特許発明１〜７のいずれかを引用する発明であって、本件特許発明１〜７のいずれかに、「前記一主面は、受光面である」との発明特定事項（以下「発明特定事項５」という。）を付加するものである。
　
イ　本件特許発明１〜５のいずれかを引用し、本件特許発明６及び７を引用しない本件特許発明８（以下「当該本件特許発明８」という。）と甲１物発明の対比
　発明特定事項５の点については、甲１物発明における「［１Ｌ］一主面が、受光面（２０ａ）である」が、発明特定事項５に相当する。
　したがって、上記（１）、（２）及び（４）での検討を踏まえると、甲１物発明は、本件特許発明１または２を引用する本件特許発明８、ないし、本件特許発明３を引用しない本件特許発明４を引用する本件特許発明８の構成をすべて備えている。
　よって、本件特許発明１または２を引用する本件特許発明８、ないし、本件特許発明３を引用しない本件特許発明４を引用する本件特許発明８は、甲１物発明である。
　また、上記（１）ないし（４）での検討を踏まえると、本件特許発明３を引用する本件特許発明８、及び、本件特許発明３を引用する本件特許発明４を引用する本件特許発明８は、甲１物発明に引用文献４〜６に記載された事項を適用することにより当業者が容易に想到し得たものである。
　さらに、上記（１）ないし（５）での検討を踏まえると、本件特許発明３を引用しない本件特許発明５を引用する本件特許発明８は、甲１物発明、並びに、引用文献２、１０及び１１に記載の周知の技術的事項より当業者が容易に想到し得たものであり、また、本件特許発明４を引用する本件特許発明５を引用する本件特許発明８は、甲１物発明、引用文献４〜６に記載された事項、並びに、引用文献２、１０及び１１に記載の周知の技術的事項を適用することにより当業者が容易に想到し得たものである。
　
（７）本件特許発明９について
ア　本件特許発明９は本件特許発明１〜８のいずれかを引用する発明であって、本件特許発明１〜８のいずれかの複数の太陽電池セルに関して、「前記複数の太陽電池セルを電気的に接続している配線材と、を備え、前記配線材は、前記複数の線状電極部と交差するように配されている、太陽電池モジュール。」との発明特定事項（以下「発明特定事項６」という。）を付加するものである。
　
イ　本件特許発明１〜５のいずれかを引用し、本件特許発明６及び７を引用しない本件特許発明９、並びに、本件特許発明１〜５のいずれかを引用し、本件特許発明６及び７を引用しない本件特許発明８を引用する本件特許発明９（以下「当該本件特許発明９」という。）と甲１物発明の対比
　発明特定事項６の点については、甲１物発明における、「［１Ｍ］複数の太陽電池セル（１０）と、［１Ｎ］複数の太陽電池セルを電気的に接続している配線材と、を備え、［１Ｏ］配線材は、複数の線状電極部と交差するように配されている、太陽電池モジュール」が、発明特定事項６に相当する。
　したがって、上記（１）、（２）、（４）及び（６）での検討を踏まえると、甲１物発明は、本件特許発明１または２を引用する本件特許発明９、本件特許発明１または２を引用し本件特許発明３を引用しない本件特許発明４を引用する本件特許発明９、本件特許発明１または２を引用し本件特許発明３を引用しない本件特許発明４を引用する本件特許発明８を引用する本件特許発明９の構成をすべて備えているから、当該本件特許発明９は、甲１物発明である。
　また、上記（１）ないし（４）及び（６）での検討を踏まえると、本件特許発明３を引用し本件特許発明５を引用しない本件特許発明９は、甲１物発明に引用文献４〜６に記載された事項に基づいて当業者が容易に想到し得たものである。
　さらに、上記（１）ないし（６）での検討を踏まえると、本件特許発明５を引用する本件特許発明９は、甲１物発明、引用文献４〜６に記載された事項、並びに、引用文献２、１０及び１１に記載の周知の技術的事項を適用することにより当業者が容易に想到し得たものである。
　
第７　むすび
　以上のとおり、本件特許発明１、２、４、８、９の特許は特許法第２９条第１項第３号の規定に違反してされたものである。
　また、本件特許発明３〜５、８、９の特許は特許法第２９条第２項の規定に違反してされたものである。
　したがって、本件特許発明１〜５、８、９の特許は、特許法第１１３条第２号に該当し、取り消されるべきものである。
　よって、結論のとおり決定する。
【異議決定日】
平成２９年６月１６日（２０１７．６．１６）